(57)【要約】【課題】設定したいタイマ時間を選択するだけで良くその調整を不要とし、タイマ時間の選択範囲が広く、様々な動作で負荷を駆動する。【解決手段】換気扇ＬＤと商用電源ＡＣとが接続される端子部１と、この端子部１を制御信号に従って開閉することで換気扇ＬＤを制御する負荷制御回路部３と、端子部１から電力の供給を受けて所定の直流電力を出力する電源回路部４と、この電源回路部４から直流電力の供給を受けて動作する制御回路部５とを備えた。制御回路部５は、複数種類の動作モードおよび複数種類のタイマ時間からそれぞれ所望の動作モードおよびタイマ時間を設定するための複数の設定用接点入力たるＪＰ１〜ＪＰ６と、操作入力用のスイッチＳＷ５とを備え、これを介して操作入力を受けると、複数の設定用接点入力の設定状態に応じて制御信号を負荷制御回路部３に出力する。【選択図】  図１
2004150835.tif 000002
【特許請求の範囲】
【請求項１】
負荷と商用電源とが接続される端子部と、この端子部を制御信号に従って開閉することで前記負荷の駆動を制御する負荷制御回路部と、前記端子部から電力の供給を受けて所定の直流電力を出力する電源回路部と、この電源回路部から直流電力の供給を受けて動作する制御回路部とを備え、
この制御回路部は、複数種類の動作モードおよび複数種類のタイマ時間からそれぞれ所望の動作モードおよびタイマ時間を設定するための複数の設定用接点入力と、操作入力用のスイッチとを備え、このスイッチを介して操作入力を受けると、前記複数の設定用接点入力の設定状態に応じて前記制御信号を前記負荷制御回路部に出力する
ことを特徴とする電子タイマスイッチ。
【請求項２】
前記動作モードは用途別に少なくとも１つあり、その用途に連動して動作モード毎に複数種類のタイマ時間が割り付けられていることを特徴とする請求項１記載の電子タイマスイッチ。
【請求項３】
前記負荷は換気扇であり、
前記動作モードには浴室換気用の動作モードがあり、
前記制御回路部は、前記動作モードが浴室換気用であれば、前記換気扇を１０分程度おきに数分間動作させるための制御信号を前記負荷制御回路部に出力する
ことを特徴とする請求項１または２記載の電子タイマスイッチ。
【請求項４】
前記負荷は換気扇であり、
前記用途には居室用の用途があり、
前記制御回路部は、前記用途が居室用であれば、前記換気扇を１時間から２時間おきに１０分から３０分程度動作させるための制御信号を前記負荷制御回路部に出力する
ことを特徴とする請求項２記載の電子タイマスイッチ。
【請求項５】
前記複数の設定用接点入力のうち、前記タイマ時間を設定するための設定用接点入力の全部または一部には、施工または使用時に操作可能なスイッチが使用されていることを特徴とする請求項２記載の電子タイマスイッチ。
【請求項６】
前記複数の設定用接点入力のうち、前記動作モードを設定するための設定用接点入力には、施工または使用時に操作可能なスイッチが使用されていることを特徴とする請求項２記載の電子タイマスイッチ。
【請求項７】
前記複数の設定用接点入力のうち、前記用途および前記動作モードを設定するための設定用接点入力には、施工または使用時に操作可能なスイッチが使用されていることを特徴とする請求項２記載の電子タイマスイッチ。
【請求項８】
前記複数の設定用接点入力のうち、前記動作モードおよび前記タイマ時間を設定するための設定用接点入力には、施工または使用時に操作可能なロータリＤＩＰスイッチが使用されていることを特徴とする請求項１または２記載の電子タイマスイッチ。
【請求項９】
発光素子を備え、
前記負荷は換気扇であり、
前記用途にはトイレ用の用途があり、
前記制御回路部は、前記用途がトイレ用であれば、前記換気扇の駆動状態に応じて前記発光素子を動作させる
ことを特徴とする請求項２記載の電子タイマスイッチ。
【請求項１０】
第１および第２発光素子を備え、
前記負荷は換気扇であり、
前記用途にはトイレ用の用途があり、
前記制御回路部は、前記用途がトイレ用であれば、前記換気扇の動作時にはその動作状態に応じて前記第１発光素子を動作させる一方、前記換気扇の停止時には前記第２発光素子を点灯させる
ことを特徴とする請求項２記載の電子タイマスイッチ。
【請求項１１】
第１から第５発光素子を備え、
前記負荷は換気扇であり、
前記用途には浴室用の用途があり、
前記制御回路部は、前記用途が浴室用であれば、前記換気扇の連続動作時には前記第１発光素子を点灯させ、前記換気扇のタイマ動作における第１番目の所定期間には前記第１発光素子を点滅させ、前記換気扇のタイマ動作における第２番目の所定期間には前記第１および第２発光素子を点滅させ、前記換気扇のタイマ動作における第３番目の所定期間には前記第２発光素子を点滅させ、前記換気扇のタイマ動作における第４番目の所定期間には前記第２および第３発光素子を点滅させ、前記換気扇のタイマ動作における第５番目の所定期間には前記第３発光素子を点滅させ、前記換気扇のタイマ動作における第６番目の所定期間には前記第３および第４発光素子を点滅させ、前記換気扇のタイマ動作における第７番目の所定期間には前記第４発光素子を点滅させ、前記換気扇のタイマ動作における第８番目の所定期間には前記第４および第５発光素子を点滅させ、前記換気扇の停止時には前記第５発光素子を点灯させる
ことを特徴とする請求項２記載の電子タイマスイッチ。
【請求項１２】
外部から操作入力を得るための外部入力インターフェースを備え、前記制御回路部が前記操作入力用のスイッチと並列に前記外部入力インターフェースからも操作入力を得ることを特徴とする請求項１または２記載の電子タイマスイッチ。
【請求項１３】
外部から操作入力を得るための外部入力インターフェースを備え、
前記制御回路部は、前記操作入力用のスイッチからの操作入力と前記外部入力インターフェースを介して外部から得られる操作入力とに従って、前記制御信号を前記負荷制御回路部に出力する
ことを特徴とする請求項１または２記載の電子タイマスイッチ。
【請求項１４】
第１および第２発光素子を備え、
前記負荷は換気扇であり、
前記制御回路部は、前記換気扇の動作時にはその動作状態に応じて前記第１発光素子を動作させる一方、前記換気扇の停止時には前記第２発光素子を点灯させる
ことを特徴とする請求項１２または１３記載の電子タイマスイッチ。
【請求項１５】
補助電源回路部を備え、
前記負荷は換気扇であり、
前記端子部は、前記負荷制御回路部によって開閉される共通端子および第１端子と、前記換気扇の強制動作時に前記換気扇と商用電源との間に前記共通端子とともに介設される第２端子とにより構成され、
前記補助電源回路部は、前記第２端子と前記共通端子との間に前記強制動作時の換気扇からの負荷電流を流す通電部と、その負荷電流から補助電源を得て前記電源回路部に供給する出力部とにより構成される
ことを特徴とする請求項１または２記載の電子タイマスイッチ。
【請求項１６】
前記補助電源回路部から前記負荷の強制動作用の操作入力を得るための外部入力インターフェースを備え、
前記制御回路部は、前記外部入力インターフェースを介して前記補助電源回路部から前記負荷の強制動作用の操作入力を受けた場合にも、前記複数の設定用接点入力の設定状態に応じて前記制御信号を前記負荷制御回路部に出力する
ことを特徴とする請求項１５記載の電子タイマスイッチ。
【請求項１７】
照明器具オン／オフ用であって前記照明器具のオフ操作時点から予め設定された遅れ時間の経過後にその照明器具を消灯する遅れ消灯機能を有する照明用スイッチと、この照明用スイッチから前記照明器具の点灯／消灯状態を得るための別回路入力インターフェースとを備え、
前記端子部は、前記負荷制御回路部によって開閉される共通端子および第１端子と、前記照明器具と商用電源との間に前記共通端子とともに介設される第２端子とにより構成され、
前記照明用スイッチは、前記第２端子と前記共通端子との間に接続され、
前記制御回路部は、前記別回路入力インターフェースを介して前記照明用スイッチから前記照明器具の点灯／消灯状態を得た場合にも、前記複数の設定用接点入力の設定状態に応じて前記制御信号を前記負荷制御回路部に出力する
ことを特徴とする請求項１または２記載の電子タイマスイッチ。
【請求項１８】
３路スイッチと、この３路スイッチから外部回路の動作状態を得るための別回路入力インターフェースとを備え、
前記端子部は、前記負荷制御回路部によって開閉される共通端子および第１端子と、前記３路スイッチを介して前記共通端子と接続される第２，第３端子とにより構成され、
前記制御回路部は、前記別回路入力インターフェースを介して前記３路スイッチから前記外部回路の動作状態を得た場合にも、前記負荷制御回路部に制御信号を出力する
ことを特徴とする請求項１または２記載の電子タイマスイッチ。
【請求項１９】
前記負荷制御回路部は、
前記端子部に整流器を介して接続され、前記制御信号に従ってオン／オフするものであって、前記整流器の出力電圧が所定電圧以上になるとオンになるスイッチング素子により構成されること、
前記端子部に整流器を介して接続され、前記制御信号に従ってオン／オフするスイッチング素子により構成されること、または
前記端子部に接続され、前記制御信号に従ってオン／オフするスイッチング素子により構成されること
を特徴とする請求項１または２記載の電子タイマスイッチ。
【請求項２０】
前記電源回路部は３線式電源回路であり、前記負荷制御回路は前記制御信号に従って開閉するリレーを含むことを特徴とする請求項１または２記載の電子タイマスイッチ。
【請求項２１】
前記リレーの出力は無電圧接点出力であることを特徴とする請求項２０記載の電子タイマスイッチ。
【請求項２２】
前記リレーの接点と並列に接続される半導体スイッチ素子を備え、この半導体スイッチ素子は前記リレーの接点が閉状態になる前にオン状態になることを特徴とする請求項２１記載の電子タイマスイッチ。
【発明の詳細な説明】
【０００１】
【発明の属する技術分野】
本発明は、例えばスイッチボックスなどに取付可能な電子タイマスイッチに関するものである。
【０００２】
【従来の技術】
従来、タイマスイッチには、ゼンマイの巻戻り時間を応用したメカ式タイマがあり、時間変更はゼンマイの巻具合で変化させるようになっている。
【０００３】
このほか、ＣＲの充放電時間を応用した電子タイマスイッチでは、可変抵抗により充放電時定数を変化させることで、時間変更がなされ、また一定回数の発振パルスをカウントするタイマＩＣを応用した電子タイマスイッチでは、可変抵抗により発振周波数を変化させることで、時間変更がなされる。
【０００４】
マイコンを応用した電子タイマスイッチには、アナログポートに可変抵抗を接続し、ポート入力電位を可変させ、あらかじめ規定したタイマ時間テーブルに従ったタイマ時間に変更するものや、予め規定した固定のタイマ時間にポート切替により変更するものがある。従来のポート切替式のものは、スライドスイッチなどをマイコンのポートに接続して３段階程度に切り換えれる構成とし、スライドスイッチを用いてタイマ時間を選択設定できるようになっている。
【０００５】
なお、特開平８−５４１４１号公報（特許文献１）には、換気扇が配設された場所の湿度を湿度センサによって検出してその検出出力レベルに基づいて換気扇を動作させる時間を設定することにより、換気扇が配設された場所の換気が適切に行える時間を容易に設定することができるようにし、また、手動で換気扇の動作時間を設定する必要をなくすことにより、操作の煩わしさを軽減して使い勝手を向上させ、設定された時間を過ぎると換気扇が停止するため、余分な換気が行われるのを避けて節電を図ることができるタイマスイッチが記載されている。
【０００６】
【特許文献１】
特開平８−５４１４１号公報
【０００７】
【発明が解決しようとする課題】
マイコン方式の時間調整方法にてアナログポートに接続された可変抵抗を用いて調整する方法は、木目細かなタイマ時間を実現することはできるが、設定したい時間がボリュームのどの位置なのかが極めて分かりにくく、かつ、設定可能な時間が必要以上に多過ぎるため、実際に調整したい時間に調整できないという問題がある。
【０００８】
また、マイコンのポートに接続されたスライドスイッチなどを用いて設定する方式のものは、３段階程度（例：２時間／４時間／連続や１時間／４時間／連続など）にしかタイマ時間を選択することができないため、従来のＶＲ式のようなタイマ時間選択の自由度がない。
【０００９】
さらに、換気扇のタイマ制御という共通の目的にも関わらず、それぞれの用途にて市場で要求されるタイマ時間、動作モード（動作パターン）が異なるため、それぞれの用途別に商品開発、製造、販売を行っており、非常に効率が悪いという問題がある。
【００１０】
本発明は、上記事情に鑑みてなされたものであり、設定したいタイマ時間を選択するだけで良くその調整を不要とし、タイマ時間の選択範囲が広く、様々な動作で負荷を駆動することができる電子タイマスイッチを提供することを目的とする。
【００１１】
【課題を解決するための手段】
上記課題を解決するための請求項１記載の発明の電子タイマスイッチは、負荷と商用電源とが接続される端子部と、この端子部を制御信号に従って開閉することで前記負荷の駆動を制御する負荷制御回路部と、前記端子部から電力の供給を受けて所定の直流電力を出力する電源回路部と、この電源回路部から直流電力の供給を受けて動作する制御回路部とを備え、この制御回路部は、複数種類の動作モードおよび複数種類のタイマ時間からそれぞれ所望の動作モードおよびタイマ時間を設定するための複数の設定用接点入力と、操作入力用のスイッチとを備え、このスイッチを介して操作入力を受けると、前記複数の設定用接点入力の設定状態に応じて前記制御信号を前記負荷制御回路部に出力することを特徴とする。
【００１２】
請求項２記載の発明は、請求項１記載の電子タイマスイッチにおいて、前記動作モードは用途別に少なくとも１つあり、その用途に連動して動作モード毎に複数種類のタイマ時間が割り付けられていることを特徴とする。
【００１３】
請求項３記載の発明は、請求項１または２記載の電子タイマスイッチにおいて、前記負荷は換気扇であり、前記動作モードには浴室換気用の動作モードがあり、前記制御回路部は、前記動作モードが浴室換気用であれば、前記換気扇を１０分程度おきに数分間動作させるための制御信号を前記負荷制御回路部に出力することを特徴とする。
【００１４】
請求項４記載の発明は、請求項２記載の電子タイマスイッチにおいて、前記負荷は換気扇であり、前記用途には居室用の用途があり、前記制御回路部は、前記用途が居室用であれば、前記換気扇を１時間から２時間おきに１０分から３０分程度動作させるための制御信号を前記負荷制御回路部に出力することを特徴とする。
【００１５】
請求項５記載の発明は、請求項２記載の電子タイマスイッチにおいて、前記複数の設定用接点入力のうち、前記タイマ時間を設定するための設定用接点入力の全部または一部には、施工または使用時に操作可能なスイッチが使用されていることを特徴とする。
【００１６】
請求項６記載の発明は、請求項２記載の電子タイマスイッチにおいて、前記複数の設定用接点入力のうち、前記動作モードを設定するための設定用接点入力には、施工または使用時に操作可能なスイッチが使用されていることを特徴とする。
【００１７】
請求項７記載の発明は、請求項２記載の電子タイマスイッチにおいて、前記複数の設定用接点入力のうち、前記用途および前記動作モードを設定するための設定用接点入力には、施工または使用時に操作可能なスイッチが使用されていることを特徴とする。
【００１８】
請求項８記載の発明は、請求項１または２記載の電子タイマスイッチにおいて、前記複数の設定用接点入力のうち、前記動作モードおよび前記タイマ時間を設定するための設定用接点入力には、施工または使用時に操作可能なロータリＤＩＰスイッチが使用されていることを特徴とする。
【００１９】
請求項９記載の発明は、請求項２記載の電子タイマスイッチにおいて、発光素子を備え、前記負荷は換気扇であり、前記用途にはトイレ用の用途があり、前記制御回路部は、前記用途がトイレ用であれば、前記換気扇の駆動状態に応じて前記発光素子を動作させることを特徴とする。
【００２０】
請求項１０記載の発明は、請求項２記載の電子タイマスイッチにおいて、第１および第２発光素子を備え、前記負荷は換気扇であり、前記用途にはトイレ用の用途があり、前記制御回路部は、前記用途がトイレ用であれば、前記換気扇の動作時にはその動作状態に応じて前記第１発光素子を動作させる一方、前記換気扇の停止時には前記第２発光素子を点灯させることを特徴とする。
【００２１】
請求項１１記載の発明は、請求項２記載の電子タイマスイッチにおいて、第１から第５発光素子を備え、前記負荷は換気扇であり、前記用途には浴室用の用途があり、前記制御回路部は、前記用途が浴室用であれば、前記換気扇の連続動作時には前記第１発光素子を点灯させ、前記換気扇のタイマ動作における第１番目の所定期間には前記第１発光素子を点滅させ、前記換気扇のタイマ動作における第２番目の所定期間には前記第１および第２発光素子を点滅させ、前記換気扇のタイマ動作における第３番目の所定期間には前記第２発光素子を点滅させ、前記換気扇のタイマ動作における第４番目の所定期間には前記第２および第３発光素子を点滅させ、前記換気扇のタイマ動作における第５番目の所定期間には前記第３発光素子を点滅させ、前記換気扇のタイマ動作における第６番目の所定期間には前記第３および第４発光素子を点滅させ、前記換気扇のタイマ動作における第７番目の所定期間には前記第４発光素子を点滅させ、前記換気扇のタイマ動作における第８番目の所定期間には前記第４および第５発光素子を点滅させ、前記換気扇の停止時には前記第５発光素子を点灯させることを特徴とする。
【００２２】
請求項１２記載の発明は、請求項１または２記載の電子タイマスイッチにおいて、外部から操作入力を得るための外部入力インターフェースを備え、前記制御回路部が前記操作入力用のスイッチと並列に前記外部入力インターフェースからも操作入力を得ることを特徴とする。
【００２３】
請求項１３記載の発明は、請求項１または２記載の電子タイマスイッチにおいて、外部から操作入力を得るための外部入力インターフェースを備え、前記制御回路部は、前記操作入力用のスイッチからの操作入力と前記外部入力インターフェースを介して外部から得られる操作入力とに従って、前記制御信号を前記負荷制御回路部に出力することを特徴とする。
【００２４】
請求項１４記載の発明は、請求項１２または１３記載の電子タイマスイッチにおいて、第１および第２発光素子を備え、前記負荷は換気扇であり、前記制御回路部は、前記換気扇の動作時にはその動作状態に応じて前記第１発光素子を動作させる一方、前記換気扇の停止時には前記第２発光素子を点灯させることを特徴とする。
【００２５】
請求項１５記載の発明は、請求項１または２記載の電子タイマスイッチにおいて、補助電源回路部を備え、前記負荷は換気扇であり、前記端子部は、前記負荷制御回路部によって開閉される共通端子および第１端子と、前記換気扇の強制動作時に前記換気扇と商用電源との間に前記共通端子とともに介設される第２端子とにより構成され、前記補助電源回路部は、前記第２端子と前記共通端子との間に前記強制動作時の換気扇からの負荷電流を流す通電部と、その負荷電流から補助電源を得て前記電源回路部に供給する出力部とにより構成されることを特徴とする。
【００２６】
請求項１６記載の発明は、請求項１５記載の電子タイマスイッチにおいて、前記補助電源回路部から前記負荷の強制動作用の操作入力を得るための外部入力インターフェースを備え、前記制御回路部は、前記外部入力インターフェースを介して前記補助電源回路部から前記負荷の強制動作用の操作入力を受けた場合にも、前記複数の設定用接点入力の設定状態に応じて前記制御信号を前記負荷制御回路部に出力することを特徴とする。
【００２７】
請求項１７記載の発明は、請求項１または２記載の電子タイマスイッチにおいて、照明器具オン／オフ用であって前記照明器具のオフ操作時点から予め設定された遅れ時間の経過後にその照明器具を消灯する遅れ消灯機能を有する照明用スイッチと、この照明用スイッチから前記照明器具の点灯／消灯状態を得るための別回路入力インターフェースとを備え、前記端子部は、前記負荷制御回路部によって開閉される共通端子および第１端子と、前記照明器具と商用電源との間に前記共通端子とともに介設される第２端子とにより構成され、前記照明用スイッチは、前記第２端子と前記共通端子との間に接続され、前記制御回路部は、前記別回路入力インターフェースを介して前記照明用スイッチから前記照明器具の点灯／消灯状態を得た場合にも、前記複数の設定用接点入力の設定状態に応じて前記制御信号を前記負荷制御回路部に出力することを特徴とする。
【００２８】
請求項１８記載の発明は、請求項１または２記載の電子タイマスイッチにおいて、３路スイッチと、この３路スイッチから外部回路の動作状態を得るための別回路入力インターフェースとを備え、前記端子部は、前記負荷制御回路部によって開閉される共通端子および第１端子と、前記３路スイッチを介して前記共通端子と接続される第２，第３端子とにより構成され、前記制御回路部は、前記別回路入力インターフェースを介して前記３路スイッチから前記外部回路の動作状態を得た場合にも、前記負荷制御回路部に制御信号を出力することを特徴とする。
【００２９】
請求項１９記載の発明は、請求項１または２記載の電子タイマスイッチにおいて、前記負荷制御回路部は、前記端子部に整流器を介して接続され、前記制御信号に従ってオン／オフするものであって、前記整流器の出力電圧が所定電圧以上になるとオンになるスイッチング素子により構成されること、前記端子部に整流器を介して接続され、前記制御信号に従ってオン／オフするスイッチング素子により構成されること、または前記端子部に接続され、前記制御信号に従ってオン／オフするスイッチング素子により構成されることを特徴とする。
【００３０】
請求項２０記載の発明は、請求項１または２記載の電子タイマスイッチにおいて、前記電源回路部は３線式電源回路であり、前記負荷制御回路は前記制御信号に従って開閉するリレーを含むことを特徴とする。
【００３１】
請求項２１記載の発明は、請求項２０記載の電子タイマスイッチにおいて、前記リレーの出力は無電圧接点出力であることを特徴とする。
【００３２】
請求項２２記載の発明は、請求項２１記載の電子タイマスイッチにおいて、前記リレーの接点と並列に接続される半導体スイッチ素子を備え、この半導体スイッチ素子は前記リレーの接点が閉状態になる前にオン状態になることを特徴とする。
【００３３】
【発明の実施の形態】
（第１実施形態）
図１は本発明による第１実施形態の電子タイマスイッチの構成図である。
【００３４】
第１実施形態の電子タイマスイッチは、例えばＪＩＳＣ８３４５に規定されるスイッチボックスなどに取り付けられるものであり、図１に示すように、端子部１と、フィルタ回路部２と、負荷制御回路部３と、電源回路部４と、制御回路部５とを備えている。
【００３５】
端子部１は、負荷としての換気扇ＬＤと商用電源ＡＣとが接続されるものであり、図１の例では、端子１０，１１により構成され、これらの端子１０，１１間に換気扇ＬＤと商用電源ＡＣとが直列に接続されている。
【００３６】
フィルタ回路部２は、端子部１と負荷制御回路部３との間に介設されるノイズフィルタであり、図１の例では、サージアブソーバ２０と、コンデンサＣ２と、チョークコイルＬ２とにより構成されている。
【００３７】
負荷制御回路部３は、制御回路部５からの制御信号（「Ｄ０  （出力１）」）に従って端子部１の端子１０，１１間を開閉するものであり、図１の例では、トライアックＱ３１と、サイリスタＱ３２と、コンデンサＣ３１，Ｃ３２と、抵抗Ｒ３１〜Ｒ３３と、ツェナーダイオードＺＤ３と、スイッチング素子（図ではトランジスタ）Ｑ３１１，Ｑ３１２を含むスイッチ回路３１と、スイッチング素子（トランジスタ）Ｑ３２１を含むスイッチ回路３２とにより構成されている。
【００３８】
電源回路部４は、端子部１から電力の供給を受けて所定の直流電力を出力するものであり、図１の例では、（全波）整流器４０と、抵抗Ｒ４と、ダイオードＤ４と、３端子レギュレータＩＣ４１１を含むレギュレータ４１とにより構成されている。
【００３９】
そして、上記負荷制御回路部３および電源回路部４において、スイッチ回路３２のスイッチング素子Ｑ３２１がオフのとき、抵抗Ｒ４，Ｒ３２およびツェナーダイオードＺＤ３は、これら直列回路に印加する整流器４０からの電圧ではツェナーダイオードＺＤ３が導通しない値に設定されている。他方、スイッチ回路３２のスイッチング素子Ｑ３２１がオンのとき、スイッチング素子Ｑ３２１、ツェナーダイオードＺＤ３および抵抗Ｒ３２の直列回路に印加する整流器４０からの電圧によって、ツェナーダイオードＺＤ３の両端にそのツェナー電圧以上の電圧が印加すれば、ツェナーダイオードＺＤ３はオンになる。これにより、サイリスタＱ３２がオンとなり、トライアックＱ３１が端子部１からの交流の各極性中においてオンになる。
【００４０】
ここで、負荷制御回路部３および電源回路部４は従来と同様であるので、先にこれらの動作について概説する。
【００４１】
負荷制御回路部３のスイッチ回路３１が制御回路部５からＨレベルの制御信号を入力している場合、スイッチ回路３１のスイッチング素子Ｑ３１１がオンとなり、スイッチ回路３１のスイッチング素子Ｑ３１２、スイッチ回路３２のスイッチング素子Ｑ３２１、ツェナーダイオードＺＤ３およびサイリスタＱ３２の全てがオフになるので、トライアックＱ３１がオフを保持したアイドリング状態となる。このアイドリング状態では、電源回路部４のレギュレータ４１は、端子部１から、整流器４０、抵抗Ｒ４およびダイオードＤ４を介して電力の供給を受け、所定の直流電力を制御回路部５に出力している。
【００４２】
負荷制御回路部３のスイッチ回路３１が制御回路部５からＬレベルの制御信号を入力している場合、スイッチ回路３１のスイッチング素子Ｑ３１１がオフとなり、スイッチ回路３１のスイッチング素子Ｑ３１２およびスイッチ回路３２のスイッチング素子Ｑ３２１がともにオンになり、ツェナーダイオードＺＤ３、サイリスタＱ３２およびトライアックＱ３１が端子部１からの交流の各極性中においてオンになって、負荷駆動状態となる。この負荷駆動状態では、電源回路部４のレギュレータ４１は、ツェナーダイオードＺＤ３がオフの間、端子部１から、整流器４０、スイッチング素子Ｑ３２１およびダイオードＤ４を介して電力の供給を受け、所定の直流電力を制御回路部５に出力する。つまり、整流器４０からレギュレータ４１に電力が間欠的に供給されるのである。
【００４３】
次に、第１実施形態の特徴となる制御回路部５について説明する。制御回路部５は、図１の例では、マイコン５０と、複数種類の動作モードおよび複数種類のタイマ時間からそれぞれ所望の動作モードおよびタイマ時間を設定するための複数の設定用接点入力たるＪＰ（ジャンパ）１〜ＪＰ６と、常開（ａ）接点を持つ操作入力用のスイッチＳＷ５と、その他の各種回路とにより構成され、電源回路部４から直流電力の供給を受けて動作し、本電子タイマスイッチ全般の各種制御を行う。例えば、スイッチＳＷ５を介して操作入力を受けると、複数の設定用接点入力たるＪＰ１〜ＪＰ６の設定状態に応じて上記制御信号を負荷制御回路部３のスイッチ回路３１に出力する制御が実行される。
【００４４】
上記複数種類の動作モードには、第１実施形態では以下の（表１）に示すように、トイレ換気Ｉ（タイマ動作）、トイレ換気ＩＩ（連続動作→タイマ動作）、浴室換気Ｉ（タイマ動作）、浴室換気ＩＩ（連続動作→タイマ動作）の４種類があり、ＪＰ５，６の有無（マイコン５０のポート切替え）によっていずれかの動作モードに設定されるようになっている。
【００４５】
【表１】
2004150835.tif 000003
【００４６】
複数種類のタイマ時間には、以下の（表２）に示すように、３０秒、２時間、１分、間欠１、３分、４時間、５分、間欠２、１０分、６時間、１５分、間欠３、３０分、８時間、６０分、間欠４の１６種類（１６段階設定）あり、ＪＰ１〜４の有無によっていずれかのタイマ時間に設定されるようになっている。
【００４７】
【表２】
2004150835.tif 000004
【００４８】
以上のように、制御回路部５が、複数種類の動作モードおよび複数種類のタイマ時間からそれぞれ所望の動作モードおよびタイマ時間を設定するための複数の設定用接点入力たるＪＰ１〜ＪＰ６と、操作入力用のスイッチＳＷ５とを備え、このスイッチＳＷ５を介して操作入力を受けると、複数の設定用接点入力たるＪＰ１〜ＪＰ６の設定状態に応じて制御信号を負荷制御回路部３のスイッチ回路３１に出力するので、設定したいタイマ時間を選択するだけで良くその調整を不要とし、タイマ時間の選択範囲が広く、様々な動作で換気扇ＬＤを運転することができる。
【００４９】
具体的には、マイコン５０の６ケ所の入力ポートに対してＪＰ１〜ＪＰ６の有無に応じて切替設定することにより、浴室換気用途、トイレ換気用途の（動作／タイマ時間違いの６４通り）いずれかの仕様に設定することができるので、本実施形態の電子タイマスイッチを共通の商品開発、製造工程を通して市場に導入することができる。
【００５０】
（第２実施形態）
図２は本発明による第２実施形態の電子タイマスイッチの構成図、図３は同電子タイマスイッチの動作説明図である。
【００５１】
第２実施形態の電子タイマスイッチは、図２に示すように、第１実施形態の制御回路部５に代えて、制御回路部５Ａを備えることを特徴とする。この制御回路部５Ａは、マイコン５０Ａと、複数種類の動作モードおよび複数種類のタイマ時間からそれぞれ所望の動作モードおよびタイマ時間を設定するための複数の設定用接点入力たるＪＰ１〜ＪＰ５と、スイッチＳＷ５と、その他の各種回路とにより構成され、電源回路部４から直流電力の供給を受けて動作し、本電子タイマスイッチ全般の各種制御を行う。例えば、スイッチＳＷ５を介して操作入力を受けると、複数の設定用接点入力たるＪＰ１〜ＪＰ５の設定状態に応じて制御信号を負荷制御回路部３のスイッチ回路３１に出力する制御が実行される。
【００５２】
第２実施形態では、動作モードは用途別に少なくとも１つあり、その用途に連動して動作モード毎に複数種類のタイマ時間が割り付けられる。
【００５３】
例えば、以下の（表３）に示す仕様の場合、トイレ用としてトイレ換気Ｉ，ＩＩの動作モードがあり、浴室用として浴室換気Ｉ，ＩＩの動作モードがある。そして、各動作モードには、８種類のタイマ時間が割り付けられており、ＪＰ１〜ＪＰ５の有無に応じて用途別動作モード別のいずれかのタイマ時間に設定することができる。
【００５４】
【表３】
2004150835.tif 000005
【００５５】
ここで、トイレ換気Ｉおよび浴室換気Ｉの動作モードは、図３（ａ），（ｃ）に示すように、スイッチＳＷ５によるオン操作入力（接点はオン／オフ）に従って、換気扇ＬＤを所定のタイマ時間動作させるモードのことである。トイレ換気ＩＩおよび浴室換気ＩＩの動作モードは、図３（ｂ），（ｄ）に示すように、スイッチＳＷ５によるオン操作入力に従って、換気扇ＬＤを連続動作させ、スイッチＳＷ５による再度のオン操作入力に従って、換気扇ＬＤを所定のタイマ時間動作させるモードのことである。（表３）の例では、トイレ用の各動作モードの場合、３０秒、１分、３分、５分、１０分、１５分、３０分、６０分のような数十秒から数十分間程度の８段階のタイマ時間からいずれかのタイマ時間を選択することができ、浴室用の各動作モードの場合、１時間、２時間、３時間、４時間、５時間、６時間、７時間、８時間のような数時間程度の８段階のタイマ時間からいずれかのタイマ時間を選択することができるようになっている。
【００５６】
別例としての以下の（表４）の仕様の場合、トイレ用としてトイレ換気Ｉ，ＩＩの動作モードがあり、浴室／居室用として浴室換気Ｉ，ＩＩ，ＩＩＩ、サイクル換気の動作モードがある。トイレ用の各動作モードには、８種類のタイマ時間が割り付けられ、浴室／居室用の各動作モードには、４種類のタイマ時間が割り付けられており、ＪＰ１〜ＪＰ５の有無に応じて用途別動作モード別のいずれかのタイマ時間を設定することができる。
【００５７】
【表４】
2004150835.tif 000006
【００５８】
ここで、浴室換気ＩＩＩの動作モードは、図３（ｅ）に示すように、スイッチＳＷ５によるオン操作入力（接点はオン／オフ）に従って、換気扇ＬＤを連続動作させ、スイッチＳＷ５による再度のオン操作入力に従って、換気扇ＬＤを次のスイッチＳＷ５によるオン操作入力まで間欠動作させるモードのことである。サイクル換気の動作モードは、図３（ｆ）に示すように、スイッチＳＷ５によるオン操作入力に従って、換気扇ＬＤを次のスイッチＳＷ５によるオン操作入力まで間欠動作させるモードのことである。そして、図３（ｇ）に示すように、浴室換気ＩＩＩの間欠動作は、「サイクル１」〜「サイクル４」のうちのいずれかに設定され、サイクル換気の間欠動作は、「サイクル５」〜「サイクル８」のうちのいずれかに設定される。
【００５９】
以上のように、第１実施形態で動作モード選択用に使用していた２ポート分の設定用接点入力を、本第２実施形態では用途および動作モード選択用とし、用途および動作モードの選択結果に連動して複数種類のタイマ時間を割り付けるようにしたので、必要となるマイコンのポート数を減らすことができる。また、用途外の不要なタイマ時間を排除できるので設定性が向上する。（表３）の例では、各用途に応じて各８段階のタイマ時間を設定でき、設定分解能が向上する。
【００６０】
また、図３（ｅ）のように、浴室換気ＩＩＩの動作モードを用意し、この動作モード時に、制御回路部５Ａが換気扇ＬＤを１０分程度おきに数分間動作させるための制御信号を負荷制御回路部３に出力するようにすれば、従来は高価な浴室暖房乾燥機などの環境制御機器でしか対応できなかった２４時間換気による浴室の充分な換気が市販の単純機能の換気扇ＬＤとの組み合わせにて実現することができる。
【００６１】
さらに、図３（ｆ）のように、寝室、居間での換気用途に対応したサイクル換気の動作モードを用意し、この動作モード時に、制御回路部５Ａが換気扇ＬＤを１時間から２時間おきに１０分から３０分程度動作させるための制御信号を負荷制御回路部３に出力するようにすれば、市販の単純機能の換気扇ＬＤとの組み合わせにて、寝室での就寝時などで定期的な強制換気を自動的に行うことが可能となる。これにより、夏場の寝苦しい熱さの緩和、室内の二酸化炭素などの低減などが可能となる。また、従来のように窓を空けないで済むので防犯効果もある。
また、居間などで温風ヒーターやエアコンという定期的な換気が推奨されている機器にも適用可能であり、定期的な自動換気が可能となる。
【００６２】
（第３実施形態）
図４は本発明による第３実施形態の電子タイマスイッチにおける設定用接点入力の構成図である。
【００６３】
第３実施形態の電子タイマスイッチは、第２実施形態との相違点として、図４に示すように、複数の設定用接点入力のうち、タイマ時間を設定するための設定用接点入力（第２実施形態のＪＰ１〜ＪＰ３参照）の全部または一部に、施工または使用時に操作可能なスイッチが使用される構成になっている。
【００６４】
図４（ａ）の例では、第２実施形態のＪＰ１〜ＪＰ３にそれぞれ対応する接点Ｄ１〜Ｄ３を有する３ビットのＤＩＰスイッチＳＷ５１が使用されている。図４（ｂ）の例では、第２実施形態のＪＰ１，ＪＰ２にそれぞれ対応する接点Ｄ１，Ｄ２を有する２ビットのＤＩＰスイッチＳＷ５２が使用され、図４（ｃ）の例では、第２実施形態のＪＰ１に対応する接点Ｄ１を有する１ビットのＤＩＰスイッチＳＷ５３が使用されている。
【００６５】
このような構成によれば、施工または使用時に２、４、８段階でタイマ時間を容易に調整することができるので、施工時の作業時間の短縮、利用者による設定の途中変更が可能となる。また、８段階程度の分解能があれば、ボリュームなどで設定を行う方法と変わらない、実使用上問題ないレベルで設定を変更することができる（設定性と設定精度の向上）。
【００６６】
（第４実施形態）
図５は本発明による第４実施形態の電子タイマスイッチにおける設定用接点入力の構成図である。
【００６７】
第４実施形態の電子タイマスイッチは、第３実施形態の図４（ａ）の構成との相違点として、図５に示すように、施工または使用時に操作可能な１ビットのＤＩＰスイッチＳＷ５４が使用される構成になっている。このＤＩＰスイッチＳＷ５４は、複数の設定用接点入力のうち、動作モードを設定するための設定用接点入力（ＪＰ４）に対応する接点Ｄ４を有している。
【００６８】
ここで、（表３）の例に対応する構成において、用途がトイレ用である場合、動作モードは、ＤＩＰスイッチＳＷ５４の接点Ｄ４がオフであればトイレ換気Ｉに設定され、接点Ｄ４がオンであればトイレ換気ＩＩに設定される。一方、用途が浴室用である場合、ＤＩＰスイッチＳＷ５４の接点Ｄ４がオフであれば浴室換気Ｉに設定され、接点Ｄ４がオンであれば浴室換気ＩＩに設定される。
【００６９】
（表４）の例に対応する構成において、用途がトイレ用である場合、動作モードは、ＤＩＰスイッチＳＷ５４の接点Ｄ４がオフであればトイレ換気Ｉに設定され、接点Ｄ４がオンであればトイレ換気ＩＩに設定される。一方、用途が浴室／居室用である場合、ＤＩＰスイッチＳＷ５４の接点Ｄ４がオフであれば浴室換気Ｉ，ＩＩに設定され、接点Ｄ４がオンであればサイクル換気、浴室換気ＩＩＩに設定される。
【００７０】
このような構成によれば、トイレ換気Ｉ，ＩＩ、浴室換気Ｉ，ＩＩ，ＩＩＩおよびサイクル換気の各動作モードうち、いずれかの動作モードを施工または使用時に選択設定することができるので、使い勝手が向上する。
【００７１】
なお、第４実施形態では、ＤＩＰスイッチＳＷ５４が使用される構成になっているが、スライドスイッチまたはプッシュオン／オフスイッチなどでもよいことは言うまでもない。
【００７２】
（第５実施形態）
図６は本発明による第５実施形態の電子タイマスイッチにおける設定用接点入力の構成図である。
【００７３】
第５実施形態の電子タイマスイッチは、第３実施形態の図４（ａ）の構成との相違点として、図６に示すように、施工または使用時に操作可能な２ビットのＤＩＰスイッチＳＷ５５が使用される構成になっている。ＤＩＰスイッチＳＷ５５は、複数の設定用接点入力のうち、動作モードおよび用途を設定するための設定用接点入力ＪＰ４，ＪＰ５にそれぞれ対応する接点Ｄ４，Ｄ５を有している。
【００７４】
ここで、（表３）の例に対応する構成において、用途は、ＤＩＰスイッチＳＷ５５の接点Ｄ５がオフであればトイレ用に設定され、ＤＩＰスイッチＳＷ５５の接点Ｄ５がオンであれば浴室用に設定される。ＤＩＰスイッチＳＷ５５の接点Ｄ４については第４実施形態のそれと同様である。
【００７５】
（表４）の例に対応する構成において、用途は、ＤＩＰスイッチＳＷ５５の接点Ｄ５がオフであればトイレ用に設定され、ＤＩＰスイッチＳＷ５５の接点Ｄ５がオンであれば浴室／居室用に設定される。ＤＩＰスイッチＳＷ５５の接点Ｄ４については第４実施形態のそれと同様である。
【００７６】
このような構成によれば、各種用途のうちいずれかの用途を施工または使用時に選択設定することができるとともに、各種動作モードのうちいずれかの動作モードを施工または使用時に選択設定することができるので、用途や動作モードに合った電子タイマスイッチの手配（製造者の供給や、需要者の器具の選定作業などの仕入れ）が容易となり、効率化が図れる。
【００７７】
（第６実施形態）
図７は本発明による第６実施形態の電子タイマスイッチにおける設定用接点入力の構成図である。
【００７８】
第６実施形態の電子タイマスイッチは、第３実施形態との相違点として、図７に示すように、施工または使用時に操作可能な４ビットのロータリＤＩＰスイッチＳＷ５６が使用される構成になっている。このロータリＤＩＰスイッチＳＷ５６は、複数の設定用接点入力のうち、動作モードおよびタイマ時間を設定するための設定用接点入力ＪＰ１〜ＪＰ４にそれぞれ対応する接点Ｄ１〜Ｄ４を有している。なお、図７（ａ）の例では、ＤＩＰスイッチＳＷ５７がさらに使用され、ＤＩＰスイッチＳＷ５７は、用途を設定するための設定用接点入力ＪＰ５に対応する接点Ｄ５を有している。
【００７９】
ここで、（表３）の例に対応する構成において、ＤＩＰスイッチＳＷ５７またはＪＰ５により用途がトイレ用である場合、以下の（表５）の例に示すように、ロータリＤＩＰスイッチＳＷ５６の接点Ｄ４のオン／オフ（表５ではＪＰ４の有無）により動作モードをトイレ換気ＩＩ／Ｉに切替設定することができ、接点Ｄ１〜Ｄ３のオン／オフ（ＪＰ１〜ＪＰ３の有無）によりタイマ時間を、３０秒、１分、３分、５分、１０分、１５分、３０分、６０分のいずれかに切替設定することができる。
【００８０】
【表５】
2004150835.tif 000007
【００８１】
（表３）の例に対応する構成において、ＤＩＰスイッチＳＷ５７またはＪＰ５により用途が浴室用である場合、以下の（表６）の例に示すように、ロータリＤＩＰスイッチＳＷ５６の接点Ｄ４のオン／オフにより動作モードを浴室換気ＩＩ／Ｉに切替設定することができ、接点Ｄ１〜Ｄ３のオン／オフによりタイマ時間を、１時間、２時間、３時間、４時間、５時間、６時間、７時間、８時間のいずれかに切替設定することができる。
【００８２】
【表６】
2004150835.tif 000008
【００８３】
（表４）の例に対応する構成において、ＤＩＰスイッチＳＷ５７またはＪＰ５により用途がトイレ用である場合、以下の（表７）の例に示すように、ロータリＤＩＰスイッチＳＷ５６の接点Ｄ４のオン／オフにより動作モードをトイレ換気ＩＩ／Ｉに切替設定することができ、接点Ｄ１〜Ｄ３のオン／オフによりタイマ時間を、３０秒、１分、３分、５分、１０分、１５分、３０分、６０分のいずれかに切替設定することができる。
【００８４】
【表７】
2004150835.tif 000009
【００８５】
（表４）の例に対応する構成において、ＤＩＰスイッチＳＷ５７またはＪＰ５により用途が浴室／居室用である場合、以下の（表８）の例に示すように、ロータリＤＩＰスイッチＳＷ５６の接点Ｄ４のオン／オフにより動作モードを、「浴室換気ＩＩＩ／サイクル換気」または「浴室換気Ｉ／浴室換気ＩＩ」に切替設定することができ、接点Ｄ１〜Ｄ３のオン／オフによりタイマ時間を、（表８）中のいずれかに切替設定することができる。なお、サイクル１〜８は図３（ｇ）と同じである。
【００８６】
【表８】
2004150835.tif 000010
【００８７】
以上の構成によれば、（表５）から（表８）のように、タイマ時間および動作モードを１つのロータリＤＩＰスイッチＳＷ５６の選択操作にて容易に設定を行うことができ、使い勝手が向上する。また、図５の第４実施形態に比べ、同機能であれば部品点数の削減効果もある。
【００８８】
（第７実施形態）
図８は本発明による第７実施形態の電子タイマスイッチにおける表示回路ブロックの構成図、図９は同表示回路ブロックの動作説明図である。
【００８９】
第７実施形態の電子タイマスイッチは、第２実施形態との相違点として、図８に示すように、表示回路ブロックの構成部品として発光素子（発光ダイオード）ＬＥＤ１を備え、制御回路部のマイコンが、用途がトイレ用であれば、図９に示すように、換気扇ＬＤの駆動状態に応じて発光素子ＬＥＤ１を動作させる構成になっている。すなわち、換気扇ＬＤの連続動作時には発光素子ＬＥＤ１を点灯させ、換気扇ＬＤのタイマ動作時には発光素子ＬＥＤ１を点滅させ、換気扇ＬＤの停止時には発光素子ＬＥＤ１を消灯させる。なお、タイマ停止１５秒前程度から停止するまでは短周期の点灯時間となる。
【００９０】
このような構成によれば、目視にて換気扇ＬＤの運転状態を容易に識別できるほか、タイマ停止予告表示があるため、タイマ延長が必要な場合、運転停止前に延長操作が可能となり、使い勝手が向上する効果がある。
【００９１】
（第８実施形態）
図１０は本発明による第８実施形態の電子タイマスイッチにおける表示回路ブロックの構成図、図１１は同表示回路ブロックの動作説明図である。
【００９２】
第８実施形態の電子タイマスイッチは、第７実施形態との相違点として、図１０に示すように、発光素子ＬＥＤ１とは発光色が異なる発光素子（発光ダイオード）ＬＥＤ５をさらに備え、制御回路部のマイコンが、用途がトイレ用であれば、図１１に示すように、換気扇ＬＤの動作時にはその動作状態に応じて発光素子ＬＥＤ１を第７実施形態と同様に動作させる一方、換気扇ＬＤの停止時には発光素子ＬＥＤ５を点灯させる構成になっている。また、制御回路部のマイコンは、換気扇ＬＤの停止前１５秒から停止時点までの間、発光素子ＬＥＤ１，ＬＥＤ５を交互に点滅させ、換気扇ＬＤの連続動作およびタイマ動作時（上記１５秒間は除く）には発光素子ＬＥＤ５を消灯させる。なお、発光素子ＬＥＤ１，ＬＥＤ５は、各カソードがマイコンの異なるポートにそれぞれ接続され、両アノードがＤＣ定電圧電源回路に接続された電流制限用の抵抗に接続される。
【００９３】
このように、発光色の異なる２つの発光素子ＬＥＤ１，ＬＥＤ５で表示を行うことにより、識別性がさらに向上する。特に換気扇オフ時の発光素子ＬＥＤ５の点灯表示（ほたる表示）により、照明が消えている状態でもその位置を認識することができる。
【００９４】
また、図１０の回路構成にして、発光素子ＬＥＤ１，ＬＥＤ５を同時に点灯させることのない図１１のような制御により、電流制限用の抵抗を共用することができ、回路消費電流のピーク値の抑制が可能となる。
【００９５】
（第９実施形態）
図１２は本発明による第９実施形態の電子タイマスイッチにおける表示回路ブロックの構成図、図１３は同表示回路ブロックの動作説明図である。
【００９６】
第９実施形態の電子タイマスイッチは、第８実施形態との相違点として、図１２に示すように、発光素子ＬＥＤ１と発光色が同じ発光素子（発光ダイオード）ＬＥＤ２〜４をさらに備え、制御回路部のマイコンが、用途が浴室用であれば、図１３に示すように、発光素子ＬＥＤ１〜５を制御する構成になっている。
【００９７】
すなわち、用途が浴室用であれば、換気扇ＬＤの連続動作時には発光素子ＬＥＤ１を点灯させ、換気扇ＬＤのタイマ動作における第１番目の所定期間には発光素子ＬＥＤ１を点滅させ、換気扇ＬＤのタイマ動作における第２番目の所定期間には発光素子ＬＥＤ１，ＬＥＤ２を交互に点滅させ、換気扇ＬＤのタイマ動作における第３番目の所定期間には発光素子ＬＥＤ２を点滅させ、換気扇ＬＤのタイマ動作における第４番目の所定期間には発光素子ＬＥＤ２，ＬＥＤ３を交互に点滅させ、換気扇ＬＤのタイマ動作における第５番目の所定期間には発光素子ＬＥＤ３を点滅させ、換気扇ＬＤのタイマ動作における第６番目の所定期間には発光素子ＬＥＤ３，ＬＥＤ４を交互に点滅させ、換気扇ＬＤのタイマ動作における第７番目の所定期間には発光素子ＬＥＤ４を点滅させ、換気扇ＬＤのタイマ動作における第８番目の所定期間には発光素子ＬＥＤ４，ＬＥＤ５を交互に点滅させ、換気扇ＬＤの停止時には発光素子ＬＥＤ５点灯させるようになっている。
【００９８】
なお、発光素子ＬＥＤ１〜ＬＥＤ５は、各カソードがマイコンの異なるポートにそれぞれ接続され、全てのアノードがＤＣ定電圧電源回路に接続された電流制限用の抵抗に接続される。
【００９９】
このように、タイマ動作において８段階（第１〜第８番目の所定期間）に区分して残タイマ時間を表示することにより、浴室用途の長時間タイマの使い勝手が向上する。また、連続動作および停止を含めた１１種の表示切替をそれよりも少ない５つの発光素子で実現することができ、部品点数の削減および小型化が可能となる。さらに、図１２の回路構成にして、発光素子ＬＥＤ１〜ＬＥＤ５を同時に点灯させることのない図１３のような制御により、電流制限用の抵抗を共用することができ、回路消費電流のピーク値の抑制が可能となる。
【０１００】
（第１０実施形態）
図１４は本発明による第１０実施形態の電子タイマスイッチの構成図、図１５は同電子タイマスイッチを用いたシステムの配線例を示す図、図１６は同システムの動作説明図である。
【０１０１】
第１０実施形態の電子タイマスイッチは、第７〜第９実施形態のいずれかとの相違点として、図１４（ａ）に示すように、外部から操作入力を得るための外部入力インターフェース６を備え、制御回路部５Ｂが操作入力用のスイッチＳＷ５と並列に外部入力インターフェース６からも操作入力を得る構成になっている。
【０１０２】
ただし、同図において、第１０実施形態の端子部１Ａは、負荷制御回路部３によって開閉される共通の端子１０および第１の端子１１を第７〜第９実施形態のいずれかと同様に備えているほか、第２の端子１２をさらに備えている。また、制御回路部５Ｂは、第７〜第９実施形態のいずれかにおける制御回路部と同様であり、マイコン５０Ｂを備えている。さらに同図において、設定回路ブロック５１は、図２におけるＪＰ１〜ＪＰ５に関連する回路ブロックであり、表示回路ブロック５２は、第７から第９実施形態のいずれかにおける表示回路ブロックである。
【０１０３】
外部入力インターフェース６は、入力部６１と、出力部６２とを備えている。
入力部６１は、端子１０，１２間の通電電流の有無を外部からの操作入力とするものであり、図１４（ｂ）、（ｃ）または（ｄ）などの回路により構成される。
図１４（ｂ）の例では、フォトカプラの入力部ＰＣ６１ａと、抵抗Ｒ６１ａとにより構成される。図１４（ｃ）の例では、フォトカプラの入力部ＰＣ６１ｂと、ダイオードＤ６１ｂと、抵抗Ｒ６１ｂとにより構成される。図１４（ｄ）の例では、フォトカプラの入力部ＰＣ６１ｃと、（全波）整流器ＤＢ６１ｃと、抵抗Ｒ６１ｃとにより構成される。
【０１０４】
出力部６２は、入力部６１からの操作入力に応じた信号を、制御回路部５Ｂのマイコン５０ＢにおけるスイッチＳＷ５と同じポートに入力するものであり、図１４（ａ）などの回路により構成される。図１４（ａ）の例では、入力部ＰＣ６１ａ，ＰＣ６１ｂ，ＰＣ６１ｃのいずれかに対応するフォトカプラの出力部ＰＣ６２と、スイッチング素子（ＦＥＴ）Ｑ６２と、コンデンサＣ６２と、抵抗Ｒ６２１，Ｒ６２２とにより構成される。スイッチング素子Ｑ６２は、フォトカプラの出力部ＰＣ６２がオンとなってコンデンサＣ６２に電源Ｖｄｄが接続されるとオンになる（図１４（ｅ）参照）。
【０１０５】
このような構成の電子タイマスイッチを図１５の例に示すような外部回路に接続すれば、図１６に示すようなシステム動作となり、入力部６１において、端子１０，１２間の通電電流の有無に応じて外部からの操作入力（接点オン／オフ状態）が取得される。通電電流有りで接点オンの状態が取得された場合には、出力部６２の出力（スイッチング素子Ｑ６２）がオンになる一方、通電電流無しで接点オフの状態が取得された場合には、出力部６２の出力がオフになる。
【０１０６】
ただし、図１５において、ＬＤは２（３）ケ所換気用の換気扇、ＥＳＷは外部スイッチである。また、図１６の「ＳＷ入力１」は、スイッチＳＷ５および出力部６２（スイッチング素子６２１）が接続されるマイコン５０Ｂのポート（７番ピン）のことであり、このポートの入力信号は、スイッチＳＷ５または外部スイッチＥＳＷの操作入力に応じて変化する。
【０１０７】
図１５（ａ）のシステムでは、端子１０と端子１１との間に、商用電源ＡＣ、外部スイッチＥＳＷおよび換気扇ＬＤが直列に接続され、端子１２にも外部スイッチＥＳＷが接続されている。外部スイッチＥＳＷは、端子１０，１１（１２）間に流れる電流により点灯する例えば赤色光のＬＥＤと、このＬＥＤと端子１２との間に介設される接点とを有している。そして、スイッチＳＷ５または外部スイッチＥＳＷに対する操作入力に従った制御回路部の制御によって、トイレ換気Ｉの動作モードの場合には、図１６（ａ）に示すように、スイッチＳＷ５の接点の瞬時オン／オフに応じてタイマ動作に切り替わる一方、外部スイッチＥＳＷの接点のオンに応じて連続動作に切り替わってそのオフに応じてタイマ動作に切り替わる動作となる。トイレ換気ＩＩの動作モードの場合には、図１６（ｃ）に示すように、スイッチＳＷ５の接点の瞬時オン／オフに応じて連続動作に切り替わってその再度の瞬時オン／オフに応じてタイマ動作に切り替わる一方、外部スイッチＥＳＷの接点のオン／オフに応じて連続動作に切り替わってその再度のオン／オフに応じてタイマ動作に切り替わる動作となる。
【０１０８】
図１５（ｂ）のシステムでは、端子１０と端子１１との間に、商用電源ＡＣおよび換気扇ＬＤが直列に接続され、端子１０と端子１２との間に、商用電源ＡＣに加えて押釦式外部スイッチＥＳＷの接点がさらに直列に介設されている。そして、スイッチＳＷ５または外部スイッチＥＳＷに対する操作入力に従った制御回路部の制御によって、トイレ換気Ｉの動作モードの場合には、図１６（ｂ）に示すように、スイッチＳＷ５または外部スイッチＥＳＷの接点の瞬時オン／オフに応じてタイマ動作に切り替わる動作となる。トイレ換気ＩＩの動作モードの場合には、図１６（ｄ）に示すように、スイッチＳＷ５または外部スイッチＥＳＷの接点の瞬時オン／オフに応じて連続動作に切り替わってその再度の瞬時オン／オフに応じてタイマ動作に切り替わる動作となる。
【０１０９】
このように、外部から操作入力を得るための外部入力インターフェース６を備え、制御回路部５Ｂが操作入力用のスイッチＳＷ５と並列に外部入力インターフェース６からも操作入力を得ることにより、スイッチＳＷ５または外部スイッチＥＳＷの操作入力に従わせて、設定回路ブロック５１の設定に応じた動作（タイマ運転）をマイコン５０Ｂに実行させることが可能となる。
【０１１０】
（第１１実施形態）
図１７は本発明による第１１実施形態の電子タイマスイッチの構成図、図１８は同電子タイマスイッチを図１５に示した外部回路に接続した場合のシステム動作説明図である。
【０１１１】
第１１実施形態の電子タイマスイッチは、第１０実施形態との相違点として、図１７に示すように、出力部６２の出力（スイッチング素子Ｑ６２）がスイッチＳＷ５とは異なるマイコン５０Ｂのポート（「ＳＷ入力２」の８番ピン）に接続され、マイコン５０Ｂが、スイッチＳＷ５からの操作入力と、外部入力インターフェース６経由の外部からの操作入力とに従って、設定回路ブロック５１の設定状態に応じた制御信号を負荷制御回路部３に出力する構成になっている。
【０１１２】
ここで、マイコン５０Ｂは、図１８に示すように、外部入力インターフェース６が外部から操作入力を得て出力部６２の出力（スイッチング素子Ｑ６２＝「ＳＷ入力２」）がＬレベルになると、２０番ピンの「出力１」をＬレベルにし、出力部６２の出力がＨレベルになると、「出力１」をＨレベルにする単純な制御を行う。なお、図１８（ａ）は、専用スイッチ（図１５（ａ）のＥＳＷ）との組合せにおけるトイレ換気Ｉの動作モード時の動作例を示し、図１８（ｂ）は、専用スイッチとの組合せにおけるトイレ換気ＩＩの動作モード時の動作例を示す。
【０１１３】
このように、制御回路部５Ｂが、スイッチＳＷ５からの操作入力と、外部入力インターフェース６経由の外部からの操作入力とに従って、制御信号を負荷制御回路部３に出力する構成にすれば、例えば、スイッチＳＷ５の操作入力に従わせて、設定回路ブロック５１の設定に応じた動作（タイマ運転）をマイコン５０Ｂに実行させることが可能となるほか、外部スイッチＥＳＷの操作入力に従わせて、換気扇のオン／オフ制御をマイコン５０Ｂに実行させることが可能となる。
【０１１４】
（第１２実施形態）
図１９は本発明による第１２実施形態の電子タイマスイッチを外部回路に接続してなるシステムの構成図、図２０は同システムの動作説明図である。
【０１１５】
第１２実施形態の電子タイマスイッチは、遅れ停止／一時動作のトイレスイッチとして使用され、図１９に示すように、端子１０と端子１１との間に、商用電源ＡＣ、外部スイッチＥＳＷおよび換気扇ＬＤが直列に接続されているとともに、端子１２にも外部スイッチＥＳＷが接続されている。外部スイッチＥＳＷは、洗面所スイッチとして使用され、端子１０，１１（１２）間に流れる電流により点灯する例えば赤色光のＬＥＤと、このＬＥＤと端子１２との間に介設される接点と、この接点と並列に接続される緑色光のＮＬ（ネオンランプ）とを有している。
【０１１６】
ここで、スイッチＳＷ５に対する操作入力に従った制御回路部の制御は、第８実施形態と同様である（図１１，図２０参照）。ただし、図１９において、スイッチＳＷ５および制御回路部などは「タイマ回路」内にある。また、図２０において、「洗面（赤）」は、外部スイッチＥＳＷにおける赤色光のＬＥＤの動作を示し、「洗面（緑）」は、その緑色光のＮＬの動作を示す。
【０１１７】
一方、外部スイッチＥＳＷに対する操作入力に従った制御回路部の制御によって、外部スイッチＥＳＷのオンに応じて連続動作に切り替わってそのオフに応じてタイマ動作に切り替わる動作となる。また、外部スイッチＥＳＷにおいて、緑色光のＮＬは、外部スイッチＥＳＷのオン時に消灯し、それ以外では点灯する一方、赤色光のＬＥＤは、換気扇ＤＬの動作中に点灯する。
【０１１８】
このように、外部入力インターフェース６を備える構成において、発光素子ＬＥＤ１，ＬＥＤ５を備え、制御回路部が、換気扇ＬＤの動作時にはその動作状態に応じて発光素子ＬＥＤ１を動作させる一方、換気扇ＬＤの停止時には発光素子ＬＥＤ５を点灯させることにより、本電子タイマスイッチから、換気扇ＬＤの連続動作、タイマ動作および停止状態などを知ることができる。
【０１１９】
また、外部スイッチＥＳＷを外部回路に接続することにより、外部スイッチＥＳＷから、換気扇ＤＬの動作状態と接点のオン／オフ状態を知ることができ、使い勝手が向上する。
【０１２０】
（第１３実施形態）
図２１は本発明による第１３実施形態の電子タイマスイッチの構成図、図２２，図２３は同電子タイマスイッチの具体構成例を示す図、図２４は同電子タイマスイッチを外部回路に接続してなるシステムの構成図、図２５は同システムの動作説明図である。
【０１２１】
第１３実施形態の電子タイマスイッチは、図２１に示すように、例えば第１０実施形態との相違点として、外部入力インターフェース６に代えて、補助電源回路部７を備えている。
【０１２２】
この補助電源回路部７は、端子１０，１２との間に強制動作時の換気扇からの負荷電流を流す通電部と、その負荷電流から補助電源を得て電源回路部に供給する出力部とにより構成される。
【０１２３】
図２２の具体構成例に示す補助電源回路部７Ａでは、上記通電部は、トランスＴ７Ａにおける端子１０，１２間に接続された１次巻線ｎ７１により構成されている。そして、上記出力部は、トランスＴ７Ａの２次巻線ｎ７２、（全波）整流器７０Ａ、抵抗Ｒ７１Ａ，７２ＡおよびダイオードＤ７により構成され、電源回路部４におけるダイオードＤ４と３端子レギュレータＩＣ４１１との間に直流電力を供給するようになっている。
【０１２４】
一方、図２３の具体構成例に示す補助電源回路部７Ｂでは、上記通電部は、端子１０，１２間に接続されたトライアックＱ７Ｂにより構成されている。上記出力部は、（全波）整流器７０Ｂ、コンデンサＣ７Ｂ、抵抗Ｒ７１Ｂ，Ｒ７２Ｂ、ツェナーダイオードＺＤ７ＢおよびダイオードＤ７により構成されている。ここで、端子１０，１２間に交流電流が流れると、端子１２、整流器７０Ｂ、ツェナーダイオードＺＤ７Ｂ、整流器７０Ｂ、抵抗Ｒ７２ｂ、コンデンサＣ７Ｂと抵抗Ｒ７１Ｂの並列回路、（チョークコイルＬ２、）端子１０の経路上にその交流電流が流れることにより、トライアックＱ７ＢがコンデンサＣ７Ｂの両端電圧によりオンとなる一方、ツェナーダイオードＺＤ７Ｂの両端から、電源回路部４におけるダイオードＤ４と３端子レギュレータＩＣ４１１との間に直流電力が供給されることになる。
【０１２５】
このような構成の電子タイマスイッチを図２４の例に示すような外部回路に接続すれば、図２５に示すようなシステム動作となる。このシステムでは、端子１０と端子１１（１２）との間に、商用電源ＡＣ、２（３）ケ所換気用の換気扇ＬＤおよび外部スイッチＥＳＷが直列に接続されている。この外部スイッチＥＳＷは、いわゆる３路スイッチであり、端子１０，１１（１２）間に流れる電流により点灯する例えば赤色光のＬＥＤと、このＬＥＤと端子１１（１２）間に切替接続される接点とを有している。
【０１２６】
そして、トイレ換気Ｉの動作モードの場合には、図２５（ａ）に示すように、スイッチＳＷ５の接点の瞬時オン／オフに応じてタイマ動作に切り替わる。これに対して、外部スイッチＥＳＷの接点を端子１２側に切り替えると、端子１０，１２間の通電経路によって換気扇ＬＤの動作モードが連続動作に切り替わる。このとき、補助電源回路部７から電源回路部４に直流電力が供給される。この後、外部スイッチＥＳＷの接点を端子１１側に切り替えると、換気扇ＬＤの動作モードが停止モードに切り替わり、補助電源回路部７から電源回路部４への直流電力の供給も停止する。
【０１２７】
トイレ換気ＩＩの動作モードの場合には、図２５（ｂ）に示すように、スイッチＳＷ５の接点の瞬時オン／オフに応じて連続動作に切り替わってその再度の瞬時オン／オフに応じてタイマ動作に切り替わる。これに対して、外部スイッチＥＳＷの接点を端子１２側に切り替えると、端子１０，１２間の通電経路によって換気扇ＬＤの動作モードが連続動作に切り替わる。このとき、補助電源回路部７から電源回路部４に直流電力が供給される。この後、外部スイッチＥＳＷの接点を端子１１側に切り替えると、換気扇ＬＤの動作モードが停止モードに切り替わり、補助電源回路部７から電源回路部４への直流電力の供給も停止する。
【０１２８】
図２６に本システムに対応する従来のシステムの構成図を示し、図２７（ａ）に本システムの動作説明図を示し、図２７（ｂ）に従来のシステムの動作説明図を示す。本システムでは、外部スイッチＥＳＷの操作により強制オンとオフ（タイマスイッチの待機状態）との切替えが可能であるが、通電機能しかない従来のシステムでは、タイマ運転中に外部スイッチＥＳＷを操作した場合に電源回路部への電源供給が絶たれて動作がリセットされてしまう不具合と、強制オン中にタイマスイッチ側が操作不能となる不具合とがあった。本システムによれば、補助電源回路部７（７Ａ，７Ｂ）を介して、負荷電流が外部回路に流れるとともに、補助電源が電源回路部４に供給される。なお、外部スイッチＥＳＷとしては、一般に２ケ所点滅に使用されている３路スイッチを使用することができる。
【０１２９】
（第１４実施形態）
図２８，図２９は本発明による第１４実施形態の電子タイマスイッチの具体構成例を示す図、図３０は同電子タイマスイッチを図２４の外部回路に接続してなるシステムの動作説明図である。
【０１３０】
第１４実施形態の電子タイマスイッチは、第１３実施形態との相違点として、図２８，図２９に示すように、補助電源回路部７（７Ａ，７Ｂ）から換気扇ＬＤの強制動作用の操作入力を得るための外部入力インターフェース６Ａをさらに備え、制御回路部５Ｂが、外部入力インターフェース６Ａを介して補助電源回路部７から換気扇ＬＤの強制動作用の操作入力を受けた場合にも、設定回路ブロック５１の設定状態に応じて制御信号を負荷制御回路部３に出力する構成になっている。
【０１３１】
外部入力インターフェース６Ａは、入力部６１Ａと、出力部６２とを備えている。入力部６１Ａは、通電機能および補助電源機能を持つ補助電源回路部の補助電源機能からの補助電源の有無を、換気扇ＬＤの強制動作用の操作入力とするものであり、図２８，図２９のいずれの具体構成においてもフォトカプラの入力部により構成されている。出力部６２は、入力部６１Ａからの強制動作用の操作入力に応じた信号を、制御回路部５Ｂのマイコン５０ＢにおけるスイッチＳＷ５と同じポートに入力するものであり、図１４のそれと同様に構成されている。
【０１３２】
このような構成の電子タイマスイッチを図２４の例に示したような外部回路に接続すれば、図３０に示すようなシステム動作となる。
【０１３３】
すなわち、スイッチＳＷ５または外部スイッチＥＳＷに対する操作入力に従った制御回路部５Ｂの制御によって、トイレ換気Ｉの動作モードの場合には、図３０（ａ）に示すように、スイッチＳＷ５の接点の瞬時オン／オフに応じてタイマ動作に切り替わる。これに対して、外部スイッチＥＳＷの接点を端子１２側に切り替えると、端子１０，１２間の通電経路によって換気扇ＬＤの動作モードが連続動作に切り替わる。このとき、補助電源回路部７から電源回路部４に直流電力が供給される一方、強制動作用の操作入力（接点オン）に応じた信号が制御回路部５Ｂに入力される。この後、外部スイッチＥＳＷの接点を端子１１側に切り替えると、補助電源回路部７から電源回路部４への直流電力の供給が停止する。このとき、強制動作用の操作入力（接点オフ）に応じた信号が制御回路部５Ｂに入力されることにより、換気扇ＬＤの動作モードがタイマ動作に切り替わる。
【０１３４】
トイレ換気ＩＩの動作モードの場合には、図３０（ｂ）に示すように、スイッチＳＷ５の接点の瞬時オン／オフに応じて連続動作に切り替わってその再度の瞬時オン／オフに応じてタイマ動作に切り替わる。これに対して、外部スイッチＥＳＷの接点を端子１２側に切り替えて端子１１側に切り替えると、換気扇ＬＤの動作モードが連続動作に切り替わり、再度、外部スイッチＥＳＷの接点を端子１２側に切り替えて端子１１側に切り替えると、換気扇ＬＤの動作モードがタイマ動作に切り替わる。
【０１３５】
このような構成によれば、第１４実施形態の効果に加えて、スイッチＳＷ５および外部スイッチＥＳＷが設けられた２ケ所から、換気扇ＬＤのタイマ動作が可能となる。
【０１３６】
（第１５実施形態）
図３１，図３２は本発明による第１５実施形態の電子タイマスイッチの具体構成例を示す図、図３３は同電子タイマスイッチを外部回路に接続してなるシステムの構成図、図３４は同システムの動作説明図である。
【０１３７】
第１５実施形態の電子タイマスイッチは、第１０実施形態との相違点として、照明器具オン／オフ用であって照明器具のオフ操作時点から予め設定された遅れ時間の経過後にその照明器具を消灯する遅れ消灯機能を有する照明用スイッチ８を端子１０，１２間にさらに備えるとともに、外部入力インターフェース６に代えて、照明用スイッチ８から照明器具の点灯／消灯状態を得るための別回路入力インターフェース６Ｂを備え、制御回路部５Ｂが、別回路入力インターフェース６Ｂを介して照明用スイッチ８から照明器具の点灯／消灯状態を得た場合にも、設定回路ブロック５１の設定状態に応じて制御信号を負荷制御回路部３に出力する構成になっている。なお、照明用スイッチ８は、従来の遅れ消灯機能を有する照明用スイッチと同様な構成で構わない。
【０１３８】
別回路入力インターフェース６Ｂは、入力部６１Ｂと、出力部６２Ｂとを備えている。入力部６１Ｂは、照明用スイッチ８のオン／オフによる端子１０，１２間の通電電流の有無を照明器具の点灯／消灯状態として入力するものであり、図３１（ｂ）、（ｃ）、（ｄ）または図３２（ａ）などの回路により構成される。
図３１（ｂ）の例では、フォトカプラの入力部ＰＣ６１ａと、抵抗Ｒ６１ａと、トランスＴ６１とにより構成される。図３１（ｃ）の例では、フォトカプラの入力部ＰＣ６１ｂと、ダイオードＤ６１ｂと、抵抗Ｒ６１ｂと、トランスＴ６１とにより構成される。図１４（ｄ）の例では、フォトカプラの入力部ＰＣ６１ｃと、（全波）整流器ＤＢ６１ｃと、抵抗Ｒ６１ｃと、トランスＴ６１とにより構成される。図３２（ａ）の例では、トランスＴ６１とにより構成される。
【０１３９】
出力部６２Ｂは、入力部６１Ｂからの点灯／消灯状態に応じた信号を、制御回路部５Ｂのマイコン５０ＢにおけるスイッチＳＷ５と同じポートに入力するものであり、図３１（ａ）、図３２（ａ）または図３２（ｂ）などの回路により構成される。図３１（ａ）の例では、入力部ＰＣ６１ａ，ＰＣ６１ｂ，ＰＣ６１ｃのいずれかに対応するフォトカプラの出力部ＰＣ６２と、スイッチング素子Ｑ６２と、コンデンサＣ６２と、抵抗Ｒ６２１，Ｒ６２２とにより構成される。図３２（ａ）の例では、（全波）整流器ＤＢ６２ａと、コンデンサＣ６２ａと、抵抗Ｒ６２ａと、スイッチング素子Ｑ６２ａとにより構成される。図３２（ｂ）の例では、（全波）整流器ＤＢ６２ａと、コンデンサＣ６２ａと、抵抗Ｒ６２ａと、ＮＯＴ回路素子６２ｂと、抵抗Ｒ６２ｂとにより構成される。
【０１４０】
このような構成の電子タイマスイッチを図３３の例に示すような外部回路に接続すれば、図３４に示すようなシステム動作となる。このシステムでは、端子１０と端子１１との間に、商用電源ＡＣおよび２（３）ケ所換気用の換気扇ＬＤが直列に接続され、端子１０と端子１２との間に、商用電源ＡＣおよび照明器具Ｌａが直列に接続されている。
【０１４１】
そして、トイレ換気Ｉの動作モードの場合には、図３４（ａ）に示すように、スイッチＳＷ５の接点の瞬時オン／オフに応じて換気扇ＬＤの動作モードがタイマ動作に切り替わる。一方、照明用スイッチ８の接点のオン状態に応じて、照明器具の動作モードが点灯モードに切り替わるとともに換気扇ＬＤの動作モードが連続動作に切り替わる。続いて、照明用スイッチ８の接点のオフ状態に応じて、照明器具の動作モードが消灯モードに切り替わるとともに換気扇ＬＤの動作モードがタイマ動作に切り替わる。
【０１４２】
トイレ換気ＩＩの動作モードの場合には、図３４（ｂ）に示すように、換気扇ＬＤの動作モードが、スイッチＳＷ５の接点の瞬時オン／オフに応じて連続動作に切り替わってその再度の瞬時オン／オフに応じてタイマ動作に切り替わる。一方、照明用スイッチ８の接点のオン／オフ状態に応じて、照明器具の動作モードが点灯／消灯モードに切り替わるとともに換気扇ＬＤの動作モードが連続動作に切り替わる。続いて、照明用スイッチ８の接点のオン／オフ状態に応じて、照明器具の動作モードが点灯／消灯モードに切り替わるとともに換気扇ＬＤの動作モードがタイマ動作に切り替わる。
【０１４３】
このような構成によれば、照明器具の点灯／消灯状態に換気扇の動作モードを連動させることができる。
【０１４４】
（第１６実施形態）
図３５は本発明による第１６実施形態の電子タイマスイッチの構成図、図３６は同電子タイマスイッチを外部回路に接続してなるシステムの構成図、図３７は同システムの動作説明図である。
【０１４５】
第１６実施形態の電子タイマスイッチは、第１５実施形態との相違点として、照明用スイッチ８に代えて３路スイッチ８Ａを備え、出力部６２Ｂの出力が制御回路部５Ｂのマイコン５０ＢにおけるスイッチＳＷ５とは異なるポート（８番ピンの「ＳＷ入力２」）に接続されている。
【０１４６】
このような構成の電子タイマスイッチを図３６の例に示すような外部回路に接続すれば、図３７に示すようなシステム動作となる。このシステムでは、端子１０と端子１１との間に、商用電源ＡＣおよび２（３）ケ所換気用の換気扇ＬＤが直列に接続され、端子１０と端子１２（１３）との間に、商用電源ＡＣ、照明器具Ｌａおよび外部スイッチＥＳＷが直列に接続されている。この外部スイッチＥＳＷは、３路スイッチであり、端子１０，１２（１３）間に流れる電流により点灯する例えば赤色光のＬＥＤと、このＬＥＤと端子１２（１３）間に切替接続される接点とを有している。
【０１４７】
そして、トイレ換気Ｉの動作モードの場合には、図３７（ａ）に示すように、スイッチＳＷ５の接点の瞬時オン／オフに応じてタイマ動作に切り替わる。これに対して、外部スイッチＥＳＷの接点が端子１３（Ｓ１）側に切替接続されている場合に、３路スイッチ８Ａの接点を端子１２（Ｓ３）側に切り替えると、端子１０および端子１２（１３）間に通電路が形成されないため、照明器具Ｌａの動作モードが消灯モードになり、３路スイッチ８Ａの接点を端子１３（Ｓ１）側に切り替えると、端子１０および端子１３間に通電路が形成されるので、照明器具Ｌａの動作モードが点灯モードになる。このとき、照明器具Ｌａの点灯状態に応じた信号が制御回路部５Ｂに入力され、制御回路部の制御によって、換気扇ＬＤの動作モードが連続動作に切り替わる。この後、外部スイッチＥＳＷの接点を端子１２（Ｓ３）側に切り替えると、照明器具Ｌａに対して通電路が形成されないため、照明器具Ｌａの動作モードが消灯モードになる。このとき、照明器具Ｌａの点灯状態に応じた信号が制御回路部５Ｂに入力され、制御回路部の制御によって、換気扇ＬＤの動作モードがタイマ動作に切り替わる。この後、３路スイッチ８Ａの接点を端子１２（Ｓ３）側に切り替えると、端子１０および端子１２間に通電路が形成されるので、照明器具Ｌａの動作モードが点灯モードになる。このとき、照明器具Ｌａの点灯状態に応じた信号が制御回路部５Ｂに入力され、制御回路部の制御によって、換気扇ＬＤの動作モードが連続動作に切り替わる。
【０１４８】
トイレ換気ＩＩの動作モードの場合には、図３７（ｂ）に示すように、換気扇ＬＤの動作モードが、スイッチＳＷ５の接点の瞬時オン／オフに応じて連続動作に切り替わってその再度の瞬時オン／オフに応じてタイマ動作に切り替わる。これに対して、外部スイッチＥＳＷの接点が端子１３（Ｓ１）側に切替接続されている場合に、３路スイッチ８Ａの接点を端子１２（Ｓ３）側に切り替えると、端子１０および端子１２（１３）間に通電路が形成されないため、照明器具Ｌａの動作モードが消灯モードになり、３路スイッチ８Ａの接点を端子１３（Ｓ１）側に切り替えると、端子１０および端子１３間に通電路が形成されるので、照明器具Ｌａの動作モードが点灯モードになる。このとき、照明器具Ｌａの点灯状態に応じた信号が制御回路部５Ｂに入力され、制御回路部の制御によって、換気扇ＬＤの動作モードが連続動作に切り替わる。この後、外部スイッチＥＳＷの接点を端子１２（Ｓ３）側に切り替えると、照明器具Ｌａに対して通電路が形成されないため、照明器具Ｌａの動作モードが消灯モードになる。この後、３路スイッチ８Ａの接点を端子１２（Ｓ３）側に切り替えると、端子１０および端子１２間に通電路が形成されるので、照明器具Ｌａの動作モードが点灯モードになり、続いて、３路スイッチ８Ａの接点を端子１３（Ｓ１）側に切り替えると、照明器具Ｌａに対して通電路が形成されないため、照明器具Ｌａの動作モードが消灯モードになる。このとき、照明器具Ｌａの点灯状態に応じた信号が制御回路部５Ｂに入力され、制御回路部の制御によって、換気扇ＬＤの動作モードがタイマ動作に切り替わる。
【０１４９】
このような構成によれば、照明器具の操作が２箇所から可能となり、照明器具の点灯／消灯状態に換気扇の動作モードを連動させることができる。
【０１５０】
（第１７実施形態）
図３８〜図４０は本発明による第１７実施形態の電子タイマスイッチの具体構成例を示す図である。
【０１５１】
第１７実施形態の電子タイマスイッチは、図３８〜図４０に示すように、図外の制御回路部からの制御信号に従って端子部１の端子１０，１１間を開閉する負荷制御回路部（３Ａ，３Ｂ，３Ｃ）の具体回路構成が、これまでの各実施形態の負荷制御回路部３と相違している。
【０１５２】
図３８の例の負荷制御回路部３Ａは、端子部１の端子１０，１１間に整流器４０を介して接続され、制御回路部からの制御信号に従ってオン／オフするものであって、整流器４０の出力電圧が所定電圧以上になるとオンになるサイリスタＱ３２などにより構成されている。すなわち、これまでの各実施形態の負荷制御回路部３から、トライアックＱ３１と、抵抗Ｒ３１，Ｒ３３と、コンデンサＣ３１とを廃止した構成になっている。
【０１５３】
この構成では、スイッチ回路３１がＨレベルの制御信号を入力している場合、スイッチ回路３１のスイッチング素子Ｑ３１１がオンとなり、スイッチ回路３１のスイッチング素子Ｑ３１２、スイッチ回路３２のスイッチング素子Ｑ３２１およびツェナーダイオードＺＤ３の全てがオフになるので、サイリスタＱ３２がオフを保持したアイドリング状態となる。このアイドリング状態では、電源回路部４のレギュレータ４１は、端子部１から、整流器４０、抵抗Ｒ４およびダイオードＤ４を介して電力の供給を受け、所定の直流電力を制御回路部５に出力している。
【０１５４】
これに対して、スイッチ回路３１がＬレベルの制御信号を入力している場合、スイッチ回路３１のスイッチング素子Ｑ３１１がオフとなり、スイッチ回路３１のスイッチング素子Ｑ３１２およびスイッチ回路３２のスイッチング素子Ｑ３２１がともにオンになり、ツェナーダイオードＺＤ３およびサイリスタＱ３２が整流器４０からの各半波期間においてオンになって、負荷駆動状態となる。この負荷駆動状態では、電源回路部４のレギュレータ４１は、ツェナーダイオードＺＤ３がオフの間、端子部１から、整流器４０、スイッチング素子Ｑ３２１およびダイオードＤ４を介して電力の供給を受け、所定の直流電力を制御回路部５に出力する。
【０１５５】
この構成によれば、トライアックでは端子１０，１１間の開閉制御ができないような小負荷電流であっても、制御回路部の制御信号によってサイリスタＱ３２を制御することにより、端子１０，１１間の開閉制御が可能となる。
【０１５６】
図３９の例の負荷制御回路部３Ｂは、端子部１の端子１０，１１間に整流器４０を介して接続され、制御回路部からの制御信号に従ってオン／オフするスイッチング素子Ｑ３Ｂなどにより構成されている。すなわち、整流器４０の両出力端子間に接続されるスイッチング素子（図ではＭＯＳ型ＦＥＴ）Ｑ３Ｂなどを含むスイッチ回路３３Ｂと、スイッチング素子（図ではトランジスタ）Ｑ３０１〜３０３、ツェナーダイオードＺＤ３０および抵抗Ｒ３０１〜Ｒ３０３などを含むスイッチ回路３０とにより構成されている。
【０１５７】
この構成によれば、図３８の構成例よりもきめ細かく制御信号によって負荷の駆動を制御することができる。また、端子１０，１１間の入力電圧のゼロクロス時点からスイッチング素子Ｑ３Ｂをオンにして一定期間後の次のゼロクロス時点までにオフにする位相制御を行えば、レギュレータ４１に対する電源を確保することができるとともに、スイッチングノイズを低減することができる。
【０１５８】
図４０の例の負荷制御回路部３Ｃは、端子部１の端子１０，１１間に接続され、制御回路部からの制御信号に従ってオン／オフする一対のスイッチング素子Ｑ３１Ｃ，Ｑ３２Ｃなどにより構成されている。すなわち、整流器４０の両入力端子間に接続されるスイッチング素子（ＭＯＳ型ＦＥＴ）Ｑ３１Ｃ，Ｑ３２Ｃなどを含むスイッチ回路３３Ｃと、負荷制御回路部３Ｂと同じスイッチ回路３０とにより構成されている。
【０１５９】
この構成では、端子部１の端子１０，１１間が、制御回路部からの（Ｌ，Ｈ）制御信号に従って（オフ，オン）動作するスイッチング素子Ｑ３１Ｃ，Ｑ３２Ｃによって開閉される。
【０１６０】
この構成によれば、図３９の構成例と同様の位相制御を行えば、レギュレータ４１に対する電源を確保することができるとともに、スイッチングノイズを低減することができる。また、整流器４０での負荷電流の損失を低減することができる。さらに、温度上昇を抑制することができる。
【０１６１】
（第１８実施形態）
図４１は本発明による第１８実施形態の電子タイマスイッチの構成図である。
【０１６２】
第１８実施形態の電子タイマスイッチは、図４１に示すように、制御回路部のマイコン（図では５０Ｂ）からの制御信号に従って動作する負荷制御回路部３Ｄの具体回路構成が、これまでの各実施形態の負荷制御回路部３と相違しているほか、電源回路部４Ａの具体回路構成がこれまでの各実施形態の電源回路部４と相違している。また、端子１１は端子１１ａと端子１１ｂとにより構成され、端子１０，１１ａ間に商用電源ＡＣが接続され、端子１０，１１ｂ間に換気扇ＬＤが接続されている。
【０１６３】
負荷制御回路部３Ｄは、スイッチング素子（トランジスタ）Ｑ３１Ｄ，Ｑ３２ＤおよびリレーＲＬ３などにより構成されている。この構成では、リレーＲＬ３の接点ＲＬ３ａがマイコン５０Ｂからの（Ｈ，Ｌ）制御信号に従って開閉することで換気扇ＬＤが駆動制御される。
【０１６４】
電源回路部４Ａは、整流器４０と、ディスクリート構成のレギュレータ（３線式電源回路）４１Ａとにより構成されている。
【０１６５】
このような構成によれば、換気扇に限らず照明器具などの負荷電流が比較的大きくても、端子部の開閉点（接点ＲＬ３ａ）での温度上昇を低めに抑えることができる。
【０１６６】
（第１９実施形態）
図４２は本発明による第１９実施形態の電子タイマスイッチの構成図である。
【０１６７】
第１９実施形態の電子タイマスイッチは、第１８実施形態との相違点として、図４２に示すように、端子１０および端子１１がそれぞれ端子１０ａ，１０ｂおよび端子１１ａ，１１ｂにより構成され、端子１０ａ，１１ａ間に商用電源ＡＣが接続され、端子１０ｂ，１１ｂ間に浴室暖房乾燥機ＬＤ’が接続されている。
【０１６８】
このように、リレーＲＬ３を無電圧接点出力としたことで、浴室暖房乾燥機ＬＤ’の別回路入力インターフェースなどの不特定で様々な回路の制御が可能となる。
【０１６９】
（第２０実施形態）
図４３は本発明による第２０実施形態の電子タイマスイッチの構成図である。
【０１７０】
第２０実施形態の電子タイマスイッチは、第１８実施形態との相違点として、外部入力インターフェース６をさらに備え、負荷制御回路部３Ｄに代えて負荷制御回路部３Ｅを備え、「出力１」，「出力２」の２０，１９番ピンの制御信号によって負荷制御回路部３Ｅを制御するマイコン５０Ｃを備えている。また、端子１０および端子１１はそれぞれ端子１０ａ，１０ｂ，１０ｃおよび端子１１ａ，１１ｂ，１１ｃにより構成され、端子１０ａ，１１ａ間に商用電源ＡＣが接続され、端子１０ｂ，１１ｂ間に換気扇または照明器具などの負荷（図では換気扇ＬＤ）が接続され、端子１０ｃ，１１ｃ間に複数の外部スイッチ（図では増設スイッチ）ＥＳＷが接続されている。
【０１７１】
負荷制御回路部３Ｅは、負荷制御回路部３Ｄとの相違点として、リレーＲＬ３の接点ＲＬ３ａと並列に接続されるトライアックＱ３Ｅおよびこのドライバ用のフォトトライアックＰＣ３ａ，ＰＣ３ｂをさらに備えている。
【０１７２】
マイコン５０Ｃは、リレーＲＬ３の接点ＲＬ３ａを閉にする場合、「出力２」の制御信号によってトライアックＱ３Ｅをオンにし、続いて「出力１」の制御信号によってリレーＲＬ３の接点ＲＬ３ａを閉にし、続いて「出力２」の制御信号によってトライアックＱ３Ｅをオフにする。これに対し、リレーＲＬ３の接点ＲＬ３ａを開にする場合、「出力２」の制御信号によってトライアックＱ３Ｅをオンにし、続いて「出力１」の制御信号によってリレーＲＬ３の接点ＲＬ３ａを開にし、続いて「出力２」の制御信号によってトライアックＱ３Ｅをオフにする制御が実行される。
【０１７３】
このように、負荷制御回路部３ＥをリレーＲＬ３とトライアックＱ３Ｅのハイブリッド構成にし、突入電流をトライアックＱ３Ｅに、定常電流をリレーＲＬ３の接点ＲＬ３ａに流すことにより、より大電流の負荷制御が可能となる。
【０１７４】
【発明の効果】
以上のことから明らかなように、請求項１記載の発明は、負荷と商用電源とが接続される端子部と、この端子部を制御信号に従って開閉することで前記負荷の駆動を制御する負荷制御回路部と、前記端子部から電力の供給を受けて所定の直流電力を出力する電源回路部と、この電源回路部から直流電力の供給を受けて動作する制御回路部とを備え、この制御回路部は、複数種類の動作モードおよび複数種類のタイマ時間からそれぞれ所望の動作モードおよびタイマ時間を設定するための複数の設定用接点入力と、操作入力用のスイッチとを備え、このスイッチを介して操作入力を受けると、前記複数の設定用接点入力の設定状態に応じて前記制御信号を前記負荷制御回路部に出力するので、設定したいタイマ時間を選択するだけで良くその調整を不要とし、タイマ時間の選択範囲が広く、様々な動作で換気扇などの負荷を運転することができる。
【０１７５】
請求項２記載の発明は、請求項１記載の電子タイマスイッチにおいて、前記動作モードは用途別に少なくとも１つあり、その用途に連動して動作モード毎に複数種類のタイマ時間が割り付けられているので、例えば制御回路部がマイコンを含む構成である場合に、上記設定用接点入力のために必要となるマイコンのポート数を減らすことができる。
【０１７６】
請求項３記載の発明は、請求項１または２記載の電子タイマスイッチにおいて、前記負荷は換気扇であり、前記動作モードには浴室換気用の動作モードがあり、前記制御回路部は、前記動作モードが浴室換気用であれば、前記換気扇を１０分程度おきに数分間動作させるための制御信号を前記負荷制御回路部に出力するので、従来は高価な浴室暖房乾燥機などの環境制御機器でしか対応できなかった２４時間換気による浴室の充分な換気が市販の単純機能の換気扇との組み合わせにて実現することができる。
【０１７７】
請求項４記載の発明は、請求項２記載の電子タイマスイッチにおいて、前記負荷は換気扇であり、前記用途には居室用の用途があり、前記制御回路部は、前記用途が居室用であれば、前記換気扇を１時間から２時間おきに１０分から３０分程度動作させるための制御信号を前記負荷制御回路部に出力するので、例えば市販の単純機能の換気扇との組み合わせにて、寝室での就寝時などで定期的な強制換気を自動的に行うことが可能となる。
【０１７８】
請求項５記載の発明は、請求項２記載の電子タイマスイッチにおいて、前記複数の設定用接点入力のうち、前記タイマ時間を設定するための設定用接点入力の全部または一部には、施工または使用時に操作可能なスイッチが使用されているので、施工または使用時にタイマ時間を容易に調整することができ、施工時の作業時間の短縮、利用者による設定の途中変更が可能となる。
【０１７９】
請求項６記載の発明は、請求項２記載の電子タイマスイッチにおいて、前記複数の設定用接点入力のうち、前記動作モードを設定するための設定用接点入力には、施工または使用時に操作可能なスイッチが使用されているので、使い勝手が向上する。
【０１８０】
請求項７記載の発明は、請求項２記載の電子タイマスイッチにおいて、前記複数の設定用接点入力のうち、前記用途および前記動作モードを設定するための設定用接点入力には、施工または使用時に操作可能なスイッチが使用されているので、各種用途のうちいずれかの用途を施工または使用時に選択設定することができるとともに、各種動作モードのうちいずれかの動作モードを施工または使用時に選択設定することができ、用途や動作モードに合った電子タイマスイッチの手配（製造者の供給や、需要者の器具の選定作業などの仕入れ）が容易となり、効率化が図れる。
【０１８１】
請求項８記載の発明は、請求項１または２記載の電子タイマスイッチにおいて、前記複数の設定用接点入力のうち、前記動作モードおよび前記タイマ時間を設定するための設定用接点入力には、施工または使用時に操作可能なロータリＤＩＰスイッチが使用されているので、タイマ時間および動作モードを１つのロータリＤＩＰスイッチの選択操作にて容易に設定を行うことができ、使い勝手が向上する。
【０１８２】
請求項９記載の発明は、請求項２記載の電子タイマスイッチにおいて、発光素子を備え、前記負荷は換気扇であり、前記用途にはトイレ用の用途があり、前記制御回路部は、前記用途がトイレ用であれば、前記換気扇の駆動状態に応じて前記発光素子を動作させるので、目視にて換気扇の運転状態を容易に識別でき、使い勝手が向上する効果がある。
【０１８３】
請求項１０記載の発明は、請求項２記載の電子タイマスイッチにおいて、第１および第２発光素子を備え、前記負荷は換気扇であり、前記用途にはトイレ用の用途があり、前記制御回路部は、前記用途がトイレ用であれば、前記換気扇の動作時にはその動作状態に応じて前記第１発光素子を動作させる一方、前記換気扇の停止時には前記第２発光素子を点灯させるので、識別性がさらに向上する。特に換気扇の停止時の第２発光素子の点灯表示（ほたる表示）により、照明が消えている状態でもその位置を認識することができる。
【０１８４】
請求項１１記載の発明は、請求項２記載の電子タイマスイッチにおいて、請求項２記載の電子タイマスイッチにおいて、第１から第５発光素子を備え、前記負荷は換気扇であり、前記用途には浴室用の用途があり、前記制御回路部は、前記用途が浴室用であれば、前記換気扇の連続動作時には前記第１発光素子を点灯させ、前記換気扇のタイマ動作における第１番目の所定期間には前記第１発光素子を点滅させ、前記換気扇のタイマ動作における第２番目の所定期間には前記第１および第２発光素子を点滅させ、前記換気扇のタイマ動作における第３番目の所定期間には前記第２発光素子を点滅させ、前記換気扇のタイマ動作における第４番目の所定期間には前記第２および第３発光素子を点滅させ、前記換気扇のタイマ動作における第５番目の所定期間には前記第３発光素子を点滅させ、前記換気扇のタイマ動作における第６番目の所定期間には前記第３および第４発光素子を点滅させ、前記換気扇のタイマ動作における第７番目の所定期間には前記第４発光素子を点滅させ、前記換気扇のタイマ動作における第８番目の所定期間には前記第４および第５発光素子を点滅させ、前記換気扇の停止時には前記第５発光素子を点灯させるので、タイマ動作において８段階（第１〜第８番目の所定期間）に区分して残タイマ時間を表示することにより、浴室用途の長時間タイマの使い勝手が向上する。また、連続動作および停止を含めた１１種の表示切替をそれよりも少ない５つの発光素子で実現することができ、部品点数の削減および小型化が可能となる。
【０１８５】
請求項１２記載の発明は、請求項１または２記載の電子タイマスイッチにおいて、外部から操作入力を得るための外部入力インターフェースを備え、前記制御回路部が前記操作入力用のスイッチと並列に前記外部入力インターフェースからも操作入力を得るので、操作入力用のスイッチまたは外部の操作入力に応じて、負荷を動作させることが可能となる。
【０１８６】
請求項１３記載の発明は、請求項１または２記載の電子タイマスイッチにおいて、外部から操作入力を得るための外部入力インターフェースを備え、前記制御回路部は、前記操作入力用のスイッチからの操作入力と前記外部入力インターフェースを介して外部から得られる操作入力とに従って、前記制御信号を前記負荷制御回路部に出力するので、例えば、操作入力用のスイッチの操作入力に従わせて、複数の設定用接点入力の設定に応じた動作を制御回路部に実行させることが可能となるほか、外部の操作入力に従わせて、負荷の制御を制御回路部に実行させることが可能となる。
【０１８７】
請求項１４記載の発明は、請求項１２または１３記載の電子タイマスイッチにおいて、第１および第２発光素子を備え、前記負荷は換気扇であり、前記制御回路部は、前記換気扇の動作時にはその動作状態に応じて前記第１発光素子を動作させる一方、前記換気扇の停止時には前記第２発光素子を点灯させるので、本電子タイマスイッチから、換気扇の動作および停止状態などを知ることができる。
【０１８８】
請求項１５記載の発明は、請求項１または２記載の電子タイマスイッチにおいて、補助電源回路部を備え、前記負荷は換気扇であり、前記端子部は、前記負荷制御回路部によって開閉される共通端子および第１端子と、前記換気扇の強制動作時に前記換気扇と商用電源との間に前記共通端子とともに介設される第２端子とにより構成され、前記補助電源回路部は、前記第２端子と前記共通端子との間に前記強制動作時の換気扇からの負荷電流を流す通電部と、その負荷電流から補助電源を得て前記電源回路部に供給する出力部とにより構成されるので、例えば、通電機能しかない構成では、強制動作時に電源回路部への電源供給が絶たれて動作がリセットされてしまう不具合と、強制動作時に電子タイマスイッチ側が操作不能となる不具合とが発生するおそれがあるところ、本発明によれば、上記不具合が発生することはない。
【０１８９】
請求項１６記載の発明は、請求項１５記載の電子タイマスイッチにおいて、前記補助電源回路部から前記負荷の強制動作用の操作入力を得るための外部入力インターフェースを備え、前記制御回路部は、前記外部入力インターフェースを介して前記補助電源回路部から前記負荷の強制動作用の操作入力を受けた場合にも、前記複数の設定用接点入力の設定状態に応じて前記制御信号を前記負荷制御回路部に出力するので、操作入力用のスイッチおよび第２端子に接続される外部回路側の２ケ所から、負荷のタイマ動作が可能となる。
【０１９０】
請求項１７記載の発明は、請求項１または２記載の電子タイマスイッチにおいて、照明器具オン／オフ用であって前記照明器具のオフ操作時点から予め設定された遅れ時間の経過後にその照明器具を消灯する遅れ消灯機能を有する照明用スイッチと、この照明用スイッチから前記照明器具の点灯／消灯状態を得るための別回路入力インターフェースとを備え、前記端子部は、前記負荷制御回路部によって開閉される共通端子および第１端子と、前記照明器具と商用電源との間に前記共通端子とともに介設される第２端子とにより構成され、前記照明用スイッチは、前記第２端子と前記共通端子との間に接続され、前記制御回路部は、前記別回路入力インターフェースを介して前記照明用スイッチから前記照明器具の点灯／消灯状態を得た場合にも、前記複数の設定用接点入力の設定状態に応じて前記制御信号を前記負荷制御回路部に出力するので、照明器具の点灯／消灯状態に例えば換気扇の動作モードを連動させることができる。
【０１９１】
請求項１８記載の発明は、請求項１または２記載の電子タイマスイッチにおいて、３路スイッチと、この３路スイッチから外部回路の動作状態を得るための別回路入力インターフェースとを備え、前記端子部は、前記負荷制御回路部によって開閉される共通端子および第１端子と、前記３路スイッチを介して前記共通端子と接続される第２，第３端子とにより構成され、前記制御回路部は、前記別回路入力インターフェースを介して前記３路スイッチから前記外部回路の動作状態を得た場合にも、前記負荷制御回路部に制御信号を出力するので、第２，第３端子側に接続される例えば照明器具の操作が２箇所から可能となり、照明器具の点灯／消灯状態に換気扇の動作モードを連動させることができる。
【０１９２】
請求項１９記載の発明は、請求項１または２記載の電子タイマスイッチにおいて、前記負荷制御回路部は、前記端子部に整流器を介して接続され、前記制御信号に従ってオン／オフするものであって、前記整流器の出力電圧が所定電圧以上になるとオンになるスイッチング素子により構成されること、前記端子部に整流器を介して接続され、前記制御信号に従ってオン／オフするスイッチング素子により構成されること、または前記端子部に接続され、前記制御信号に従ってオン／オフするスイッチング素子により構成されるので、これら構成により、小負荷電流対応、負荷のきめ細かな駆動制御、または負荷電流の損失低減がそれぞれ可能となる。
【０１９３】
請求項２０記載の発明は、請求項１または２記載の電子タイマスイッチにおいて、前記電源回路部は３線式電源回路であり、前記負荷制御回路は前記制御信号に従って開閉するリレーを含むので、負荷電流が比較的大きくても、端子部の開閉点での温度上昇を低めに抑えることができる。
【０１９４】
請求項２１記載の発明は、請求項２０記載の電子タイマスイッチにおいて、前記リレーの出力は無電圧接点出力であるので、浴室暖房乾燥機の別回路入力インターフェースなどの不特定で様々な回路の制御が可能となる。
【０１９５】
請求項２２記載の発明は、請求項２１記載の電子タイマスイッチにおいて、前記リレーの接点と並列に接続される半導体スイッチ素子を備え、この半導体スイッチ素子は前記リレーの接点が閉状態になる前にオン状態になるので、より大電流の負荷制御が可能となる。
【図面の簡単な説明】
【図１】本発明による第１実施形態の電子タイマスイッチの構成図である。
【図２】本発明による第２実施形態の電子タイマスイッチの構成図である。
【図３】同電子タイマスイッチの動作説明図である。
【図４】本発明による第３実施形態の電子タイマスイッチにおける設定用接点入力の構成図である。
【図５】本発明による第４実施形態の電子タイマスイッチにおける設定用接点入力の構成図である。
【図６】本発明による第５実施形態の電子タイマスイッチにおける設定用接点入力の構成図である。
【図７】本発明による第６実施形態の電子タイマスイッチにおける設定用接点入力の構成図である。
【図８】本発明による第７実施形態の電子タイマスイッチにおける表示回路ブロックの構成図である。
【図９】同表示回路ブロックの動作説明図である。
【図１０】本発明による第８実施形態の電子タイマスイッチにおける表示回路ブロックの構成図である。
【図１１】同表示回路ブロックの動作説明図である。
【図１２】本発明による第９実施形態の電子タイマスイッチにおける表示回路ブロックの構成図である。
【図１３】同表示回路ブロックの動作説明図である。
【図１４】本発明による第１０実施形態の電子タイマスイッチの構成図である。
【図１５】同電子タイマスイッチを用いたシステムの配線例を示す図である。
【図１６】同システムの動作説明図である。
【図１７】本発明による第１１実施形態の電子タイマスイッチの構成図である。
【図１８】同電子タイマスイッチを図１５に示した外部回路に接続した場合のシステム動作説明図である。
【図１９】本発明による第１２実施形態の電子タイマスイッチを外部回路に接続してなるシステムの構成図である。
【図２０】同システムの動作説明図である。
【図２１】本発明による第１３実施形態の電子タイマスイッチの構成図である。
【図２２】同電子タイマスイッチの具体構成例を示す図である。
【図２３】同電子タイマスイッチの具体構成例を示す図である。
【図２４】同電子タイマスイッチを外部回路に接続してなるシステムの構成図である。
【図２５】同システムの動作説明図である。
【図２６】本システムに対応する従来のシステムの構成図である。
【図２７】本システムの動作説明図（ａ）および従来のシステムの動作説明図（ｂ）である。
【図２８】本発明による第１４実施形態の電子タイマスイッチの具体構成例を示す図である。
【図２９】同第１４実施形態の電子タイマスイッチの具体構成例を示す図である。
【図３０】同電子タイマスイッチを図２４の外部回路に接続してなるシステムの動作説明図である。
【図３１】本発明による第１５実施形態の電子タイマスイッチの具体構成例を示す図である。
【図３２】同第１５実施形態の電子タイマスイッチの具体構成例を示す図である。
【図３３】同電子タイマスイッチを外部回路に接続してなるシステムの構成図である。
【図３４】同システムの動作説明図である。
【図３５】本発明による第１６実施形態の電子タイマスイッチの構成図である。
【図３６】同電子タイマスイッチを外部回路に接続してなるシステムの構成図である。
【図３７】同システムの動作説明図である。
【図３８】本発明による第１７実施形態の電子タイマスイッチの具体構成例を示す図である。
【図３９】同第１７実施形態の電子タイマスイッチの具体構成例を示す図である。
【図４０】同第１７実施形態の電子タイマスイッチの具体構成例を示す図である。
【図４１】本発明による第１８実施形態の電子タイマスイッチの構成図である。
【図４２】本発明による第１９実施形態の電子タイマスイッチの構成図である。
【図４３】本発明による第２０実施形態の電子タイマスイッチの構成図である。
【符号の説明】
１  端子部
２  フィルタ回路部
３，３Ａ，３Ｂ，３Ｃ，３Ｄ，３Ｅ  負荷制御回路部
４，４Ａ  電源回路部
５，５Ａ，５Ｂ  制御回路部
６，６Ａ  外部入力インターフェース
６Ｂ  別回路入力インターフェース
７，７Ａ，７Ｂ  補助電源回路部
８  照明用スイッチ
８Ａ  ３路スイッチ
【図１】
2004150835.tif 000011
【図２】
2004150835.tif 000012
【図３】
2004150835.tif 000013
【図４】
2004150835.tif 000014
【図５】
2004150835.tif 000015
【図６】
2004150835.tif 000016
【図７】
2004150835.tif 000017
【図８】
2004150835.tif 000018
【図９】
2004150835.tif 000019
【図１０】
2004150835.tif 000020
【図１１】
2004150835.tif 000021
【図１２】
2004150835.tif 000022
【図１３】
2004150835.tif 000023
【図１４】
2004150835.tif 000024
【図１５】
2004150835.tif 000025
【図１６】
2004150835.tif 000026
【図１７】
2004150835.tif 000027
【図１８】
2004150835.tif 000028
【図１９】
2004150835.tif 000029
【図２０】
2004150835.tif 000030
【図２１】
2004150835.tif 000031
【図２２】
2004150835.tif 000032
【図２３】
2004150835.tif 000033
【図２４】
2004150835.tif 000034
【図２５】
2004150835.tif 000035
【図２６】
2004150835.tif 000036
【図２７】
2004150835.tif 000037
【図２８】
2004150835.tif 000038
【図２９】
2004150835.tif 000039
【図３０】
2004150835.tif 000040
【図３１】
2004150835.tif 000041
【図３２】
2004150835.tif 000042
【図３３】
2004150835.tif 000043
【図３４】
2004150835.tif 000044
【図３５】
2004150835.tif 000045
【図３６】
2004150835.tif 000046
【図３７】
2004150835.tif 000047
【図３８】
2004150835.tif 000048
【図３９】
2004150835.tif 000049
【図４０】
2004150835.tif 000050
【図４１】
2004150835.tif 000051
【図４２】
2004150835.tif 000052
【図４３】
2004150835.tif 000053